(57)【特許請求の範囲】
【請求項１】
焦点距離を所定の範囲内で可変できる変倍光学系と、
前記変倍光学系における前記焦点距離に依存した所定の光学特性に起因して生じる測定誤差を補正するための補正情報を前記焦点距離に対応付けて記憶する補正情報記憶部と、
測定対象の光学像を前記変倍光学系を介して受光し、複数の色成分それぞれに対応した複数の２次元光量分布を測定する２次元測光部と、
前記２次元測光部で前記複数の２次元光量分布を測定した際における前記変倍光学系の焦点距離を取得する焦点距離取得部と、
前記２次元測光部で測定した前記複数の２次元光量分布、および、前記補正情報記憶部に記憶され、前記焦点距離取得部で取得した焦点距離に対応した補正情報に基づいて、前記測定対象の２次元色分布を求める２次元測色演算部とを備え、
前記光学特性は、分光透過率であり、
前記補正情報記憶部は、前記補正情報として、前記焦点距離および前記変倍光学系の像高それぞれに依存する複数の分光透過率を記憶すること
を特徴とする２次元測色計。
【請求項２】
前記２次元測色演算部は、前記２次元測光部で測定した前記複数の２次元光量分布を前記測定対象の２次元色分布へ変換する変換行列を用いることによって、前記２次元測光部で測定した前記複数の２次元光量分布から前記測定対象の２次元色分布を求め、
前記補正情報記憶部は、前記補正情報として前記変換行列を記憶し、
前記変換行列の各行列成分は、前記変倍光学系における前記焦点距離に依存した前記所定の光学特性に基づいた値であること
を特徴とする請求項１に記載の２次元測色計。
【請求項３】
焦点距離を所定の範囲内で可変できる変倍光学系と、前記変倍光学系における前記焦点距離に依存した所定の光学特性に起因して生じる測定誤差を補正するための補正情報を前記焦点距離に対応付けて記憶する補正情報記憶部とを備える２次元測色計の２次元測色方法であって、
測定対象の光学像を前記変倍光学系を介して受光し、複数の色成分それぞれに対応した複数の２次元光量分布を測定する２次元測光工程と、
前記２次元測光工程で前記複数の２次元光量分布を測定した際における前記変倍光学系の焦点距離を取得する焦点距離取得工程と、
前記２次元測光工程で測定した前記複数の２次元光量分布、および、前記補正情報記憶部に記憶され、前記焦点距離取得工程で取得した焦点距離に対応した補正情報に基づいて、前記測定対象の２次元色分布を求める２次元測色演算工程とを備え、
前記光学特性は、分光透過率であり、
前記補正情報記憶部は、前記補正情報として、前記焦点距離および前記変倍光学系の像高それぞれに依存する複数の分光透過率を記憶すること
を特徴とする２次元測色方法。
【請求項４】
焦点距離を所定の範囲内で可変できる変倍光学系と、前記変倍光学系における前記焦点距離に依存した所定の光学特性に起因して生じる測定誤差を補正するための補正情報を前記焦点距離に対応付けて記憶する補正情報記憶部とを備える２次元測色計で実行される２次元測色プログラムであって、
測定対象の光学像を前記変倍光学系を介して受光し、複数の色成分それぞれに対応した複数の２次元光量分布を測定する２次元測光工程と、
前記２次元測光工程で前記複数の２次元光量分布を測定した際における前記変倍光学系の焦点距離を取得する焦点距離取得工程と、
前記２次元測光工程で測定した前記複数の２次元光量分布、および、前記補正情報記憶部に記憶され、前記焦点距離取得工程で取得した焦点距離に対応した補正情報に基づいて、前記測定対象の２次元色分布を求める２次元測色演算工程とを備え、
前記光学特性は、分光透過率であり、
前記補正情報記憶部は、前記補正情報として、前記焦点距離および前記変倍光学系の像高それぞれに依存する複数の分光透過率を記憶すること
を特徴とする２次元測色プログラム。
【請求項５】
請求項１または請求項２に記載の２次元測色計と、所定の表示を行う表示装置とを備える表示システムであって、
前記表示装置は、
表示面に表示を行う表示部と、
前記表示面に対するユーザの所在位置を検出する位置検出部と、
前記表示面に対する複数の測色位置それぞれから前記２次元測色計によって前記表示面を２次元で測色した複数の測色結果に前記複数の測色位置それぞれを対応付けた測色情報を記憶する測色情報記憶部と、
前記位置検出部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備えること
を特徴とする表示システム。
【請求項６】
前記２次元測色計は、さらに、前記表示装置の表示面を前記測定対象として前記２次元測色演算部で求めた前記表示面の２次元色分布を前記測色結果として前記表示装置へ出力する測色側インターフェース部を備え、
前記表示装置は、さらに、
前記２次元測色計の前記測色側インターフェース部から出力された前記測色結果を取得する表示側インターフェース部と、
前記表示側インターフェース部で取得した前記測色結果を前記測色情報として前記測色情報記憶部に記憶する測色情報記憶処理部とを備えること
を特徴とする請求項５に記載の表示システム。
【請求項７】
前記表示調整部は、前記位置検出部で検出した所在位置と前記測色情報記憶部に記憶された前記測色情報とに基づいて、前記ユーザの前記所在位置から前記表示面を見た場合に予め設定された目標の見え方となるように、前記表示面上の位置に応じた調整値で、前記表示部の表示状態を調整すること
を特徴とする請求項５または請求項６に記載の表示システム。
【発明の詳細な説明】
【技術分野】
【０００１】
本発明は、測定対象を２次元で測色する２次元測色計、２次元測色方法および２次元測色プログラム、ならびに、前記２次元測色計と表示装置とを備える表示システムに関する。
【背景技術】
【０００２】
従来、測定対象を２次元で測色する２次元測色計が知られている。この２次元測色計に関し、例えば、特許文献１に開示された装置がある。この特許文献１に開示された装置は、検査対象となる液晶表示パネルの表示面を撮像して画像データを取得する撮像手段と、前記撮像手段によって取得された前記画像データに基づいて放射輝度に関する２次元分光データを生成するデータ生成手段とを備える。そして、特許文献１に開示された前記装置は、前記２次元分光データに基づいて最小二乗法を用いて近似データを生成することでシェーディングを補正している（例えば特許文献１の［００２０］段落、［００２１］段落、［００８７］段落等）。
【先行技術文献】
【特許文献】
【０００３】
【特許文献１】特開２０１２−１８５０３０号公報
【発明の概要】
【発明が解決しようとする課題】
【０００４】
ところで、前記特許文献１に開示された装置のように、焦点距離を固定している単焦点の光学系（いわゆる単焦点レンズ）を備える２次元測色計では、測定対象の大きさ（サイズ）、測定対象と２次元測色計との間の距離、および、前記単焦点レンズの焦点距離に応じて、画像データには、測定対象を除く他の物体（例えば背景）の像が写り込んだり、逆に、測定対象の一部分の像しか写り込まなかったりしてしまう。このため、前記単焦点レンズに代え、焦点距離を所定の範囲内で可変できる、言い換えれば、倍率（画角）を所定の範囲内で可変できる変倍光学系（いわゆるズームレンズ）の採用が望まれる。しかしながら、変倍光学系では、広角端から望遠端へ倍率を変更すると、一般に、この倍率の変更に伴って色収差も変化してしまう結果、２次元測色計の測定値に誤差が生じてしまう。
【０００５】
前記特許文献１に開示された装置は、シェーディングを補正しているが、単焦点レンズにおけるシェーディングの補正しか考慮されていない。すなわち、前記特許文献１では、色収差が一定値の場合しか考慮されていない。
【０００６】
本発明は、上述の事情に鑑みて為された発明であり、その目的は、変倍光学系を備え、測定誤差をより低減できる２次元測色計、２次元測色方法および２次元測色プログラム、ならびに、この２次元測色計と表示装置とを備える表示システムを提供することである。
【課題を解決するための手段】
【０００７】
本発明者は、種々検討した結果、上記目的は、以下の本発明により達成されることを見出した。すなわち、本発明の一態様にかかる２次元測色計は、焦点距離を所定の範囲内で可変できる変倍光学系と、前記変倍光学系における前記焦点距離に依存した所定の光学特性に起因して生じる測定誤差を補正するための補正情報を前記焦点距離に対応付けて記憶する補正情報記憶部と、測定対象の光学像を前記変倍光学系を介して受光し、複数の色成分それぞれに対応した複数の２次元光量分布を測定する２次元測光部と、前記２次元測光部で前記複数の２次元光量分布を測定した際における前記変倍光学系の焦点距離を取得する焦点距離取得部と、前記２次元測光部で測定した前記複数の２次元光量分布、および、前記補正情報記憶部に記憶され、前記焦点距離取得部で取得した焦点距離に対応した補正情報に基づいて、前記測定対象の２次元色分布を求める２次元測色演算部とを備え、前記光学特性は、分光透過率であり、前記補正情報記憶部は、前記補正情報として、前記焦点距離および前記変倍光学系の像高それぞれに依存する複数の分光透過率を記憶することを特徴とする。好ましくは、上述の２次元測色計において、前記補正情報は、前記変倍光学系における前記焦点距離に依存した所定の光学特性である。好ましくは、上述の２次元測色計において、前記２次元測光部は、測定対象の光学像を前記変倍光学系を介して受光し、三原色の色成分それぞれに対応した３種類の２次元光量分布を測定し、前記２次元測色演算部は、前記２次元測光部で測定した前記３種類の２次元光量分布、および、前記補正情報記憶部に記憶され、前記焦点距離取得部で取得した焦点距離に対応した補正情報に基づいて、前記測定対象の三刺激値Ｘ、Ｙ、Ｚの２次元分布を求める。好ましくは、上述の２次元測色計において、２次元測色演算部は、さらに、前記求めた前記測定対象の三刺激値Ｘ、Ｙ、Ｚの２次元分布に基づいて、国際照明委員会（ＣＩＥ）で規定された輝度Ｙおよび色度ｘｙを求める。
【０００８】
このような２次元測色計は、変倍光学系を備えるので、測定対象の大きさ（サイズ）、および、測定対象と２次元測色計との間の距離に応じて前記変倍光学系の焦点距離、言い換えれば倍率を変更することで、測定対象全体の像を写し、かつ、測定対象を除く他の物体（例えば背景）の像をできるだけ除いたデータを生成することが可能となる。そして、上記２次元測色計は、変倍光学系における焦点距離に依存した所定の光学特性に起因して生じる測定誤差を補正するための補正情報を前記焦点距離に対応付けて補正情報記憶部に予め記憶し、測定した複数の色成分それぞれに対応した複数の２次元光量分布、および、その際の変倍光学系の焦点距離に応じた補正情報に基づいて、測定対象の２次元色分布を求めるので、変倍光学系の焦点距離（言い換えれば倍率）に伴う測定誤差をより低減できる。したがって、上記２次元測色計は、変倍光学系を備え、測定誤差をより低減できる。また、変倍光学系の焦点距離の変化に従って変化する分光透過率に伴う測定誤差を低減できる。
【０００９】
なお、倍率（ズーム倍率）は、所定の焦点距離（例えば広角端の焦点距離や３５ｍｍ等）で写した像面上の像の大きさを基準に、或る焦点距離で写した像面上の像の大きさがその何倍であるかを表した数値である（倍率＝（或る焦点距離で写した像面上の像の大きさ）／（所定の焦点距離で写した像面上の像の大きさ））。
【００１２】
また、他の一態様では、これら上述の２次元測色計において、前記２次元測色演算部は、前記２次元測光部で測定した前記複数の２次元光量分布を前記測定対象の２次元色分布へ変換する変換行列を用いることによって、前記２次元測光部で測定した前記複数の２次元光量分布から前記測定対象の２次元色分布を求め、前記補正情報記憶部は、前記補正情報として前記変換行列を記憶し、前記変換行列の各行列成分は、前記変倍光学系における前記焦点距離に依存した前記所定の光学特性に基づいた値であることを特徴とする。
【００１３】
変倍光学系の焦点距離に伴う測定誤差の影響を考慮した変換行列を求めておくことで、上記２次元測色計は、２次元測光部で測定した複数の２次元光量分布から、変倍光学系の焦点距離に伴う測定誤差をより低減した、測定対象の２次元色分布を容易に求めることができる。
【００１４】
本発明の他の一態様にかかる２次元測色方法は、焦点距離を所定の範囲内で可変できる変倍光学系と、前記変倍光学系における前記焦点距離に依存した所定の光学特性に起因して生じる測定誤差を補正するための補正情報を前記焦点距離に対応付けて記憶する補正情報記憶部とを備える２次元測色計の２次元測色方法であって、測定対象の光学像を前記変倍光学系を介して受光し、複数の色成分それぞれに対応した複数の２次元光量分布を測定する２次元測光工程と、前記２次元測光工程で前記複数の２次元光量分布を測定した際における前記変倍光学系の焦点距離を取得する焦点距離取得工程と、前記２次元測光工程で測定した前記複数の２次元光量分布、および、前記補正情報記憶部に記憶され、前記焦点距離取得工程で取得した焦点距離に対応した補正情報に基づいて、前記測定対象の２次元色分布を求める２次元測色演算工程とを備え、前記光学特性は、分光透過率であり、前記補正情報記憶部は、前記補正情報として、前記焦点距離および前記変倍光学系の像高それぞれに依存する複数の分光透過率を記憶することを特徴とする。
【００１５】
本発明の他の一態様にかかる２次元測色プログラムは、焦点距離を所定の範囲内で可変できる変倍光学系と、前記変倍光学系における前記焦点距離に依存した所定の光学特性に起因して生じる測定誤差を補正するための補正情報を前記焦点距離に対応付けて記憶する補正情報記憶部とを備える２次元測色計で実行される２次元測色プログラムであって、測定対象の光学像を前記変倍光学系を介して受光し、複数の色成分それぞれに対応した複数の２次元光量分布を測定する２次元測光工程と、前記２次元測光工程で前記複数の２次元光量分布を測定した際における前記変倍光学系の焦点距離を取得する焦点距離取得工程と、前記２次元測光工程で測定した前記複数の２次元光量分布、および、前記補正情報記憶部に記憶され、前記焦点距離取得工程で取得した焦点距離に対応した補正情報に基づいて、前記測定対象の２次元色分布を求める２次元測色演算工程とを備え、前記光学特性は、分光透過率であり、前記補正情報記憶部は、前記補正情報として、前記焦点距離および前記変倍光学系の像高それぞれに依存する複数の分光透過率を記憶することを特徴とする。
【００１６】
このような２次元測色方法および２次元測色プログラムは、変倍光学系を備え、測定誤差をより低減できる。また、変倍光学系の焦点距離の変化に従って変化する分光透過率に伴う測定誤差を低減できる。
【００１７】
本発明の他の一態様にかかる表示システムは、これら上述のいずれかの２次元測色計と、所定の表示を行う表示装置とを備える表示システムであって、前記表示装置は、表示面に表示を行う表示部と、前記表示面に対するユーザの所在位置を検出する位置検出部と、前記表示面に対する複数の測色位置それぞれから前記２次元測色計によって前記表示面を２次元で測色した複数の測色結果に前記複数の測色位置それぞれを対応付けた測色情報を記憶する測色情報記憶部と、前記位置検出部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備えることを特徴とする。
【００１８】
このような表示システムは、これら上述のいずれかの２次元測色計を備えるので、変倍光学系を備え、より測定誤差を低減できる。また、変倍光学系の焦点距離の変化に従って変化する分光透過率に伴う測定誤差を低減できる。したがって、表示装置は、より測定誤差を低減した測色情報を記憶することができる。一方、表示装置には、表示面の中央位置を通る表示面の法線方向を基準とした、ユーザの表示面を見る角度によって見え方が異なることがある。しかしながら、上記表示装置は、前記表示調整部を備え、この表示調整部によって、ユーザの所在位置とこのような前記測色情報とに基づいて、ユーザの所在位置から表示面を見た場合に予め設定された目標の見え方となるように、表示部の表示状態を調整するので、ユーザの所在位置に応じて表示状態（表示出力）をより適切に調整できる。
【００１９】
また、他の一態様では、上述の表示システムにおいて、前記２次元測色計は、さらに、前記表示装置の表示面を前記測定対象として前記２次元測色演算部で求めた前記表示面の２次元色分布を前記測色結果として前記表示装置へ出力する測色側インターフェース部を備え、前記表示装置は、さらに、前記２次元測色計の前記測色側インターフェース部から出力された前記測色結果を取得する表示側インターフェース部と、前記表示側インターフェース部で取得した前記測色結果を前記測色情報として前記測色情報記憶部に記憶する測色情報記憶処理部とを備えることを特徴とする。
【００２０】
このような構成の表示システムは、前記２次元測色計がさらに前記測色側インターフェース部を備え、前記表示装置がさらに前記表示側インターフェース部および前記測色情報記憶処理部を備えるので、前記２次元測色計が測定した前記測色結果を自動的に前記測色情報として前記表示装置の前記測色情報記憶部に記憶できる。
【００２１】
また、他の一態様では、これら上述の表示システムにおいて、前記表示調整部は、前記位置検出部で検出した所在位置と前記測色情報記憶部に記憶された前記測色情報とに基づいて、前記ユーザの前記所在位置から前記表示面を見た場合に予め設定された目標の見え方となるように、前記表示面上の位置に応じた調整値で、前記表示部の表示状態を調整することを特徴とする。好ましくは、上述の表示システムにおいて、前記測色情報（前記表示面の２次元色分布）は、前記表示面を複数に分けた複数の領域それぞれに対する複数の測定値を含み、前記表示調整部は、前記測色情報記憶部に記憶された前記測色情報から前記位置検出部で検出した所在位置に応じた測色結果を取り出し、前記表示部における各画素ごとに、前記取り出した測色結果と前記目標の見え方との差を補償するように前記表示面上の位置に応じた調整値をそれぞれ生成し、前記生成した各調整値で前記表示部における各画素の出力を調整することで、前記表示部の表示状態を調整する。
【００２２】
ユーザは、表示面の各位置を、前記各位置に応じた各角度で見込むため、前記各位置に応じた各見え方で見えることになる。このような表示システムでは、上記表示装置は、前記表示面上の位置に応じた調整値で、前記表示部の表示状態を調整するので、前記各位置に応じた各見え方を個々に調整できる。
【発明の効果】
【００２３】
本発明にかかる２次元測色計、２次元測色方法、２次元測色プログラムおよび表示システムは、変倍光学系を備え、測定誤差をより低減できる。
【図面の簡単な説明】
【００２４】
【図１】実施形態における表示システムの構成を示す図である。
【図２】実施形態の表示システムにおける２次元測色計の構成を示すブロック図である。
【図３】図２に示す２次元測色計の２次元測定部の構成を示すブロック図である。
【図４】図２に示す２次元測色計の補正情報記憶部に記憶される光学特性情報テーブルの構成を示す図である。
【図５】光学特性の一例として、像高別の分光透過率の一例を示す図である。
【図６】実施形態の表示システムにおける表示装置の構成を示すブロック図である。
【図７】表示装置の表示面を２次元で測色する１個の２次元測色計での各測色位置を説明するための図である。
【図８】表示装置の表示面を２次元で測色する複数の２次元測色計での各測色位置を説明するための図である。
【図９】表示装置に測色情報として記憶される、図７に示す第１測色位置ＰＭ１で測色された第１測色結果の一例を示す図である。
【図１０】表示装置に測色情報として記憶される、図７に示す第２測色位置ＰＭ２で測色された第２測色結果の一例を示す図である。
【図１１】表示装置に測色情報として記憶される、図７に示す第３測色位置ＰＭ３で測色された第３測色結果の一例を示す図である。
【図１２】表示装置に測色情報として記憶される、図７に示す第４測色位置ＰＭ４で測色された第４測色結果の一例を示す図である。
【図１３】表示装置に測色情報として記憶される、図７に示す第５測色位置ＰＭ５で測色された第５測色結果の一例を示す図である。
【図１４】表示装置および２次元測色計間の距離と画角（焦点距離、倍率）との関係を説明するための図である。
【図１５】イメージセンサの出力に与える倍率の影響を説明するための図である。
【図１６】測色情報を取得する際に、実施形態の表示システムにおける表示装置の表示部に表示される画面の一例を説明するための図である。
【図１７】イメージセンサの画素位置と像高との関係を説明するための図である。
【図１８】測色結果において、２次元測色計の座標値と表示装置の表示面の座標値との関係を説明するための図である。
【図１９】実施形態の表示システムにおける表示装置の表示状態の調整に関する動作を示すフローチャートである。
【発明を実施するための形態】
【００２５】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００２６】
（構成）
図１は、実施形態における表示システムの構成を示す図である。図２は、実施形態の表示システムにおける２次元測色計の構成を示すブロック図である。図３は、図２に示す２次元測色計の２次元測定部の構成を示すブロック図である。図３（Ａ）は、２次元測定部における第１態様の構成を示し、図３（Ｂ）は、２次元測定部における第１態様の構成を示す。図４は、図２に示す２次元測色計の補正情報記憶部に記憶される光学特性情報テーブルの構成を示す図である。図５は、光学特性の一例として、像高別の分光透過率の一例を示す図である。図５（Ａ）は、光軸の位置（像高ｒ＝０ｍｍ）での分光透過率を示し、図５（Ｂ）は、光軸から８ｍｍ離れた位置（像高ｒ＝８ｍｍ）での分光透過率を示し、図５（Ｃ）は、光軸から１２ｍｍ離れた位置（像高ｒ＝１２ｍｍ）での分光透過率を示し、そして、図５（Ｄ）は、光軸から８ｍｍ離れた位置（像高ｒ＝１４．４ｍｍ）での分光透過率を示す。図５の横軸は、ｎｍ単位で表す波長（Ｗａｖｅｌｅｎｇｔｈ）であり、その縦軸は、最大透過率で規格化した透過率（Ｔｒａｎｓｍｉｔｔａｎｃｅ（ａ．ｕ））である。図６は、実施形態の表示システムにおける表示装置の構成を示すブロック図である。図７は、表示装置の表示面を２次元で測色する１個の２次元測色計での各測色位置を説明するための図である。図８は、表示装置の表示面を２次元で測色する複数の２次元測色計での各測色位置を説明するための図である。図９は、表示装置に測色情報として記憶される、図７（図８）に示す第１測色位置ＰＭ１で測色された第１測色結果の一例を示す図である。図１０は、表示装置に測色情報として記憶される、図７（図８）に示す第２測色位置ＰＭ２で測色された第２測色結果の一例を示す図である。図１１は、表示装置に測色情報として記憶される、図７（図８）に示す第３測色位置ＰＭ３で測色された第３測色結果の一例を示す図である。図１２は、表示装置に測色情報として記憶される、図７（図８）に示す第４測色位置ＰＭ４で測色された第４測色結果の一例を示す図である。図１３は、表示装置に測色情報として記憶される、図７（図８）に示す第５測色位置ＰＭ５で測色された第５測色結果の一例を示す図である。
【００２７】
実施形態における表示システムＤＳは、例えば、図１に示すように、測定対象を２次元で測色する２次元測色計ＭＤと、表示を行う表示装置ＤＰとを備える。
【００２８】
この２次元測色計ＭＤは、測定対象を２次元で測色する装置である。表示システムＤＳでは、２次元測色計ＭＤは、ユーザの所在位置（Ｕｘ、Ｕｙ、Ｕｚ）での表示装置ＤＰの見え方を解析するために用いられる。このような２次元測色計ＭＤは、例えば、図２に示すように、２次元測定部２１と、測色側制御処理部（ＭＤ制御処理部）２２と、測色側インターフェース部（ＭＤＩＦ部）２３と、測色側記憶部（ＭＤ記憶部）２４とを備える。
【００２９】
２次元測定部２１は、ＭＤ制御処理部２２に接続され、ＭＤ制御処理部２２の制御に従って変倍光学系を介して測定対象の各色成分を２次元で測定する装置である。２次元測色計ＭＤが２次元色彩計である場合には、例えば、２次元測定部２１は、変倍光学系を介して測定対象における三原色（赤（Ｒ）、緑（Ｇ）、青（Ｂ））の各成分を２次元で測定するための前記変倍光学系、光学フィルタおよびエリアイメージセンサ等を備え、測定対象の色に応じたＲＧＢの各色成分それぞれに対応した各２次元光量分布（各画像）をＭＤ制御処理部２２へ出力する。
【００３０】
このような２次元測定部２１は、より具体的には、例えば、図３（Ａ）に示す第１態様の構成を持つ装置や、図３（Ｂ）に示す第２態様の構成を持つ装置等である。
【００３１】
第１態様の構成を持つ２次元測定部２１ａは、変倍光学系２１１と、光学フィルタ部２１２と、エリアイメージセンサ２１３と、焦点距離取得部２１４とを備える。
【００３２】
変倍光学系２１１は、焦点距離を所定の範囲内で可変できる光学系であり、いわゆるズームレンズである。変倍光学系２１１は、複数のレンズ群を備え、前記複数のレンズ群のうちの１または複数のレンズ群を光軸方向に沿って移動することで、焦点距離を所定の範囲内で、言い換えれば、倍率を所定の範囲内で、可変する。レンズ群は、１または複数のレンズを備える。
【００３３】
光学フィルタ部２１２は、変倍光学系２１１の射出側に配置され、入射光のうちの赤色成分の波長範囲の光、前記入射光のうちの緑色成分の波長範囲の光、および、前記入射光のうちの青色成分の波長範囲の光、のうちのいずれか１つを択一的に射出する装置である。より具体的には、光学フィルタ部２１２は、入射光のうちの赤色成分の波長範囲の光を射出する第１バンドパスフィルタ２１２−Ｘと、前記入射光のうちの緑色成分の波長範囲の光を射出する第２バンドパスフィルタ２１２−Ｙと、前記入射光のうちの青色成分の波長範囲の光を射出する第３バンドパスフィルタ２１２−Ｚと、中心周りに回転可能な円板部材と、前記円板部材を回転させる駆動機構とを備える。前記円板部材には、周方向に所定の間隔を空けて第１ないし第３貫通開口が形成され、この第１貫通開口には、第１バンドパスフィルタ２１２−Ｘが嵌め込まれ、第２貫通開口には、第２バンドパスフィルタ２１２−Ｙが嵌め込まれ、そして、第３貫通開口には、第３バンドパスフィルタ２１２−Ｚが嵌め込まれている。このような構成の光学フィルタ部２１２は、変倍光学系２１１の光軸に第１バンドパスフィルタ２１２−Ｘの光軸を合わせるように前記円板部材を中心周りに前記駆動機構によって回転させることで、入射光（変倍光学系２１１から射出された射出光）のうちの赤色成分の波長範囲の光を射出し、変倍光学系２１１の光軸に第２バンドパスフィルタ２１２−Ｙの光軸を合わせるように前記円板部材を中心周りに前記駆動機構によって回転させることで、前記入射光のうちの緑色成分の波長範囲の光を射出し、変倍光学系２１１の光軸に第３バンドパスフィルタ２１２−Ｚの光軸を合わせるように前記円板部材を中心周りに前記駆動機構によって回転させることで、前記入射光のうちの青色成分の波長範囲の光を射出する。
【００３４】
エリアイメージセンサ２１３は、ＭＤ制御処理部２２に接続され、２次元アレイ状に配列された複数の光電変換素子（イメージセンサの画素）およびその周辺回路を備え、測定対象の光学像を受光し、その２次元光量分布のデータをＭＤ制御処理部２２の制御に従って生成する装置である。エリアイメージセンサ２１３は、その中心（対角線の交点）が変倍光学系２１１の光軸に合うように、かつ、その受光面が変倍光学系２１１による結像面に一致するように、光学フィルタ部２１２を介した変倍光学系２１１の射出側（すなわち、光学フィルタ部２１２の射出側）に配置される。エリアイメージセンサ２１３は、その生成した２次元光量分布のデータをＭＤ制御処理部２２へ出力する。
【００３５】
これら光学フィルタ部２１２およびエリアイメージセンサ２１３は、測定対象の光学像を変倍光学系を介して受光し、複数の色成分それぞれに対応した複数の２次元光量分布を測定する２次元測光部の一例である。そして、光学フィルタ部２１２およびエリアイメージセンサ２１３を備えて構成される本実施形態の２次元測光部２１ａは、測定対象の光学像を変倍光学系２１１を介して受光し、それぞれの色成分に対応した３種類の２次元光量分布を測定する。
【００３６】
焦点距離取得部２１４は、ＭＤ制御処理部２２に接続され、エリアイメージセンサ２１３によって２次元光量分布を測定した際における変倍光学系２１４の焦点距離をＭＤ制御処理部２２の制御に従って取得する装置である。焦点距離取得部２１４は、その取得した変倍光学系２１４の焦点距離をＭＤ制御処理部２２へ出力する。本実施形態では、焦点距離は、広角端（Ｗｉｄｅ）を基準とした倍率βで表される。このような焦点距離取得部２１４は、例えば特開平７−１９９０２１号公報や特開平１１−３５２３８４号公報等に開示された公知の構成を採用できる。この特開平７−１９９０２１号公報に開示された装置は、焦点距離を変更（設定）するための操作環の内周面に設けられた、回転角指標部および絶対角指標部と、固定レンズ鏡筒に設けられ、前記各指標部に光を照射する発光部および前記各指標部からの各反射光を読み取る指標読み取り部とを備え、前記指標読み取り部で読み取った各信号に基づいて、前記操作環の回転量、言い換えれば、焦点距離を求めることができる。前記回転角指標部は、交互に等間隔でストライプ状に並設された反射率の高い白部分と反射率の低い黒部分とを備え、前記絶対角指標部は、白部分の中に形成された楔状（細長い三角形状）の黒部分を備える。前記特開平１１−３５２３８４号公報に開示された装置は、焦点距離を変更（設定）するための操作環の内周面に、周方向に等間隔で設けられた複数のスリットと、前記スリットによるパルスの位相が互いに９０°ずれるように配置された２個のフォトインタラプタと、アップダウンカウンターとを備え、前記２個のフォトインタラプタで発生した各パルスを前記アップダウンカウンターで回転方向を含めてカウントすることで、前記操作環の回転量、言い換えれば、焦点距離を求めることができる。前記特開平１１−３５２３８４号公報に開示された別の装置は、焦点距離を変更（設定）するための操作環の内周面に、周方向に等間隔で設けられ、Ｓ極とＮ極とを交互に着磁したストライプ状の複数の着磁面と、前記内周面に対向するように配置された磁気抵抗素子より成るＭＲ（Ｍａｇｎｅｔｉｃ  Ｒｅｓｉｓｔａｎｃｅ）センサとを備え、前記ＭＲセンサによって検出されるＳ極およびＮ極の磁極の変化に基づいて前記操作環の回転量、言い換えれば、焦点距離を求めることができる。
【００３７】
このような構成の２次元測定部２１ａでは、変倍光学系２１１における、焦点距離を変更（設定）するための操作環（ズーム倍率操作環）が操作されると、その回転量を検出することで焦点距離が焦点距離取得部２１４で取得され、この焦点距離取得部２１４で取得された焦点距離（本実施形態では倍率β）がＭＤ制御処理部２２へ出力される。一方、第１バンドパスフィルタ２１２−Ｘを用いることで、測定対象の光学像が、変倍光学系２１１および第１バンドパスフィルタ２１２−Ｘを介してエリアイメージセンサ２１３によって受光され、Ｘ成分の２次元光量分布が測定され、この測定されたＸ成分の２次元光量分布がＭＤ制御処理部２２へ出力され、第２バンドパスフィルタ２１２−Ｙを用いることで、前記測定対象の光学像が、変倍光学系２１１および第２バンドパスフィルタ２１２−Ｙを介してエリアイメージセンサ２１３によって受光され、Ｙ成分の２次元光量分布が測定され、この測定されたＹ成分の２次元光量分布がＭＤ制御処理部２２へ出力され、そして、第３バンドパスフィルタ２１２−Ｚを用いることで、前記測定対象の光学像が、変倍光学系２１１および第３バンドパスフィルタ２１２−Ｚを介してエリアイメージセンサ２１３によって受光され、Ｚ成分の２次元光量分布が測定され、この測定されたＺ成分の２次元光量分布がＭＤ制御処理部２２へ出力される。
【００３８】
また、第２態様の構成を持つ２次元測定部２１ｂは、変倍光学系２１１と、第１ないし第３バンドパスフィルタ２１２−Ｘ、２１２−Ｙ、２１２−Ｚと、第１ないし第３エリアイメージセンサ２１３−１、２１３−２、２１３−３と、焦点距離取得部２１４と、光分配部２１５とを備える。第１態様における２次元測定部２１ａは、上述したように、第１ないし第３バンドパスフィルタ２１２−Ｘ、２１２−Ｙ、２１２−Ｚを順次に択一的に切り換えることで、各色成分の２次元光量分布を１つのエリアイメージセンサ２１３で測定したが、この第２態様における２次元測定部２１ｂは、変倍光学系２１１を介した測定対象の光学像を光分配部２１５によって３つに分配し、これら３つに分配された各光学像それぞれを第１ないし第３バンドパスフィルタ２１２−Ｘ、２１２−Ｙ、２１２−Ｚそれぞれを介して３つの第１ないし第３エリアイメージセンサ２１３−１、２１３−２、２１３−３それぞれで受光することで、各色成分の２次元光量分布を３つの第１ないし第３エリアイメージセンサ２１３−１、２１３−２、２１３−３で同時に測定する。このため、第２態様の２次元測定部２１ｂにおける変倍光学系２１１および焦点距離取得部２１４は、それぞれ、第１態様の２次元測定部２１ａにおける変倍光学系２１１および焦点距離取得部２１４と同様であるので、その説明を省略する。
【００３９】
光分配部２１５は、変倍光学系２１１の射出側に配置され、入射光を複数に分配して複数の射出光を射出する光学素子である。本実施形態では、三原色の各色成分の２次元光量分布を同時に測定するので、光分配部２１５は、入射光を３つに分配する。より具体的には、光分配部２１５は、束ねられた複数の光ファイバを備え、これら複数の光ファイバは、その中間部分で３つに略等分に分けられている。このような構成によって光分配部２１５は、１つの入射面２１５Ａと、３つの第１ないし第３射出面２１５Ｂ１、２１５Ｂ２、２１５Ｂ３とを備える。光分配部２１５は、その光軸が変倍光学系２１５の光軸に合うように、変倍光学系２１１の射出側に配置される。
【００４０】
第２態様の２次元測定部２１ｂにおける第１ないし第３バンドパスフィルタ２１２−Ｘ、２１２−Ｙ、２１２−Ｚは、それぞれ、その配置態様の点を除き、第１態様の２次元測定部２１ａにおける第１ないし第３バンドパスフィルタ２１２−Ｘ、２１２−Ｙ、２１２−Ｚと同様である。第１バンドパスフィルタ２１２−Ｘは、光分配部２１５の第１射出面２１５Ｂ１側に配置され、第２バンドパスフィルタ２１２−Ｙは、光分配部２１５の第２射出面２１５Ｂ２側に配置され、そして、第３バンドパスフィルタ２１２−Ｚは、光分配部２１５の第３射出面２１５Ｂ３側に配置される。
【００４１】
第１ないし第３エリアイメージセンサ２１３−１、２１３−２、２１３−３は、それぞれ、その配置態様の点を除き、第１態様の２次元測定部２１ａにおけるエリアイメージセンサ２１３と同様である。第１エリアイメージセンサ２１３−１は、その中心（対角線の交点）が光分配部２１５における第１射出面２１５Ｂ１の光軸に合うように、かつ、その受光面が変倍光学系２１１による結像面に一致するように、光分配部２１５および第１バンドパスフィルタ２１２−Ｘを介した変倍光学系２１１の射出側（すなわち、第１バンドパスフィルタ２１２−Ｘの射出側）に配置される。第１エリアイメージセンサ２１３−１は、その生成した赤色成分の２次元光量分布のデータをＭＤ制御処理部２２へ出力する。第２エリアイメージセンサ２１３−２は、その中心（対角線の交点）が光分配部２１５における第２射出面２１５Ｂ２の光軸に合うように、かつ、その受光面が変倍光学系２１１による結像面に一致するように、光分配部２１５および第２バンドパスフィルタ２１２−Ｙを介した変倍光学系２１１の射出側（すなわち、第２バンドパスフィルタ２１２−Ｙの射出側）に配置される。第２エリアイメージセンサ２１３−２は、その生成した緑色成分の２次元光量分布のデータをＭＤ制御処理部２２へ出力する。第３エリアイメージセンサ２１３−３は、その中心（対角線の交点）が光分配部２１５における第３射出面２１５Ｂ３の光軸に合うように、かつ、その受光面が変倍光学系２１１による結像面に一致するように、光分配部２１５および第３バンドパスフィルタ２１２−Ｚを介した変倍光学系２１１の射出側（すなわち、第３バンドパスフィルタ２１２−Ｚの射出側）に配置される。第３エリアイメージセンサ２１３−３は、その生成した青色成分の２次元光量分布のデータをＭＤ制御処理部２２へ出力する。
【００４２】
なお、変倍光学系２１１および光分配部２１５は、いわゆるテレセントリック光学系を構成するように配置され、図３（Ｂ）に破線で示すように、第１射出面２１５Ｂ１と第１バンドパスフィルタ２１２−Ｘとの間には、第１射出面２１５Ｂ１から射出された測定対象の光学像を第１バンドパスフィルタ２１２−Ｘを介して第１エリアイメージセンサ２１３−１に結像する第１光学系２１６−１がさらに備えられ、第２射出面２１５Ｂ２と第２バンドパスフィルタ２１２−Ｙとの間には、第２射出面２１５Ｂ２から射出された前記測定対象の光学像を第２バンドパスフィルタ２１２−Ｙを介して第２エリアイメージセンサ２１３−２に結像する第２光学系２１６−２がさらに備えられ、そして、第３射出面２１５Ｂ３と第３バンドパスフィルタ２１２−Ｚとの間には、第３射出面２１５Ｂ３から射出された前記測定対象の光学像を第３バンドパスフィルタ２１２−Ｚを介して第３エリアイメージセンサ２１３−３に結像する第３光学系２１６−３がさらに備えられても良い。
【００４３】
これら光分配部２１５、第１ないし第３バンドパスフィルタ２１２−Ｘ、２１２−Ｙ、２１２−Ｚおよび第１ないし第３エリアイメージセンサ２１３−１、２１３−２、２１３−３は、測定対象の光学像を変倍光学系を介して受光し、複数の色成分それぞれに対応した複数の２次元光量分布を測定する２次元測光部の他の一例である。そして、本実施形態の２次元測光部２１ｂは、測定対象の光学像を変倍光学系２１１を介して受光し、それぞれの色成分に対応した３種類の２次元光量分布を測定する。
【００４４】
このような構成の２次元測定部２１ｂでは、変倍光学系２１１における、焦点距離を変更（設定）するための操作環（ズーム倍率操作環）が操作されると、その回転量を検出することで焦点距離が焦点距離取得部２１４で取得され、この焦点距離取得部２１４で取得された焦点距離（本実施形態では倍率β）がＭＤ制御処理部２２へ出力される。一方、測定対象の光学像は、変倍光学系２１１に入射されて変倍される。この変倍された測定対象の光学像は、光分配部２１５にその入射面２１５Ａから入射されて３つに分配される。３つに分配された光学像のうちの１つの光学像は、第１射出面２１５Ｂ１から射出され、第１バンドパスフィルタ２１２−Ｘを介して第１エリアイメージセンサ２１３−１で受光され、Ｘ成分の２次元光量分布が測定され、この測定されたＸ成分の２次元光量分布がＭＤ制御処理部２２へ出力される。前記３つに分配された光学像のうちの他の１つの光学像は、第２射出面２１５Ｂ２から射出され、第２バンドパスフィルタ２１２−Ｙを介して第２エリアイメージセンサ２１３−２で受光され、Ｙ成分の２次元光量分布が測定され、この測定されたＹ成分の２次元光量分布がＭＤ制御処理部２２へ出力される。そして、前記３つに分配された光学像のうちの残余の１つの光学像は、第３射出面２１５Ｂ３から射出され、第３バンドパスフィルタ２１２−Ｚを介して第３エリアイメージセンサ２１３−３で受光され、Ｚ成分の２次元光量分布が測定され、この測定されたＺ成分の２次元光量分布がＭＤ制御処理部２２へ出力される。
【００４５】
なお、上述の第１および第２態様の２次元測定部２１ａ、２１ｂにおいて、第１バンドパスフィルタ２１２−Ｘは、好ましくは、ＣＩＥで規定される等色関数Ｘに近似したＸフィルタであり、第２バンドパスフィルタ２１２−Ｙは、好ましくは、ＣＩＥで規定される等色関数Ｙに近似したＹフィルタであり、そして、第３バンドパスフィルタ２１２−Ｚは、好ましくは、ＣＩＥで規定される等色関数Ｚに近似したＺフィルタである。
【００４６】
図２に戻って、ＭＤＩＦ部２３は、測定結果を外部の機器へ出力するために、ＭＤ制御処理部２２に接続され、ＭＤ制御処理部２２の制御に従って外部機器との間でデータの入出力を行う回路であり、例えば、ＲＳ−４８５規格を用いたインターフェース回路、および、ＵＳＢ（Ｕｎｉｖｅｒｓａｌ  Ｓｅｒｉａｌ  Ｂｕｓ）規格を用いたインターフェース回路等である。
【００４７】
ＭＤ記憶部２４は、ＭＤ制御処理部２２に接続され、ＭＤ制御処理部２２の制御に従って各種の所定のプログラムおよび各種の所定のデータを記憶する回路である。前記各種の所定のプログラムには、例えば、２次元測色計ＭＤの各部を当該各部の機能に応じてそれぞれ制御するＭＤ制御プログラムや、２次元測定部２１（２１ａ、２１ｂ）で測定した複数の２次元光量分布、および、後述の補正情報記憶部２４１に記憶され、２次元測定部２１の焦点距離取得部２１４で取得した焦点距離に対応した補正情報に基づいて、測定対象の２次元色分布を求める２次元測色演算プログラムや、表示装置ＤＰに表示された２次元測色計ＭＤの位置を後述の測色位置として取得し、この取得した２次元測色計ＭＤの位置を対応付けて前記２次元色分布（２次元測色計ＭＤの測色結果）をＭＤＩＦ部２３から出力する測色位置取得出力プログラム等の制御処理プログラムが含まれる。前記各種の所定のデータには、前記補正情報等の各プログラムを実行する上で必要なデータ等が含まれる。ＭＤ記憶部２４は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＭＤ記憶部２４は、前記所定のプログラムの実行中に生じるデータ等を記憶するいわゆるＭＤ制御処理部２２のワーキングメモリとなるＲＡＭ（Ｒａｎｄｏｍ  Ａｃｃｅｓｓ  Ｍｅｍｏｒｙ）等を含む。そして、ＭＤ記憶部１５は、前記光学特性を記憶するために、光学特性情報記憶部２４１を機能的に備える。
【００４８】
補正情報記憶部２４１は、前記補正情報を記憶するものである。この補正情報は、２次元測定部２１の変倍光学系２１１における焦点距離（言い換えれば、倍率）に依存した所定の光学特性に起因して生じる測定誤差を補正するための情報である。本実施形態では、前記補正情報は、２次元測定部２１の変倍光学系２１１における焦点距離（言い換えれば、倍率）に依存した所定の光学特性であり、前記所定の光学特性は、例えば、変倍光学系２１１における焦点距離（言い換えれば、倍率）に依存している変倍光学系２１１全系の分光透過率Ｔｏ（Ｔｒａｎｓｍｉｔｔａｎｃｅ  ｏｐｔｉｃｓ）である。そして、本実施形態では、この分光透過率Ｔｏは、変倍光学系２１１における焦点距離（言い換えれば、倍率β）だけでなく、さらに、前記変倍光学系２１１の光軸中心からの、径方向に沿った距離（すなわち、前記変倍光学系２１１の像高）ｒに依存している（Ｔｏ（β、ｒ、λ）、λは波長である）。
【００４９】
このような倍率βおよび像高ｒそれぞれに依存する複数の分光透過率Ｔｏ（β、ｒ、λ）は、本実施形態では、テーブル形式で補正情報記憶部２４１に記憶される。より具体的には、各分光透過率Ｔｏ（β、ｒ、λ）は、例えば、図４に示すように、縦方向を各倍率βとし、横方向を各像高ｒとする２次元マトリクス状の光学特性情報テーブルＴＴに登録されている。図４に示す例では、光学特性情報テーブルＴＴは、縦方向に、倍率β＝１．０の場合（例えば広角端（Ｗｉｄｅ））における分光透過率Ｔｏ（１．０、ｒ、λ）を登録する第１行２４１１−１、倍率β＝１．２の場合における分光透過率Ｔｏ（１．２、ｒ、λ）を登録する第２行２４１１−２、倍率β＝１．５の場合における分光透過率Ｔｏ（１．５、ｒ、λ）を登録する第３行２４１１−３、倍率β＝２．０の場合における分光透過率Ｔｏ（２．０、ｒ、λ）を登録する第４行２４１１−４、倍率β＝２．５の場合における分光透過率Ｔｏ（２．５、ｒ、λ）を登録する第５行２４１１−３、および、倍率β＝３．０の場合（例えば望遠端（Ｔｅｌｅ））における分光透過率Ｔｏ（３．０、ｒ、λ）を登録する第６行２４１１−６を備え、横方向に、像高ｒ＝０ｍｍの場合の分光透過率Ｔｏ（β、０、λ）を登録する第１列２４１２−１、像高ｒ＝３ｍｍの場合の分光透過率Ｔｏ（β、３、λ）を登録する第２列２４１２−２、像高ｒ＝７ｍｍの場合の分光透過率Ｔｏ（β、７、λ）を登録する第３列２４１２−３、像高ｒ＝１０ｍｍの場合の分光透過率Ｔｏ（β、１０、λ）を登録する第４列２４１２−４、および、像高ｒ＝１４ｍｍの場合の分光透過率Ｔｏ（β、１４、λ）を登録する第５列２４１２−５を備える。例えば、図４において、３行２列の欄には、分光透過率Ｔｏ（１．５、３、λ）が登録されている。なお、光学特性情報テーブルＴＴの各欄には、分光透過率Ｔｏ（β、ｒ、λ）自体のデータが登録されて良く、また、分光透過率Ｔｏ（β、ｒ、λ）のデータのファイルネームが登録されて良い。このファイルネームから、ＭＤ制御処理部２２は、分光透過率Ｔｏ（β、ｒ、λ）のデータをＭＤ記憶部２４から読み込める。
【００５０】
この光学特性情報記憶部２４１に記憶される、変倍光学系２１１の分光透過率Ｔｏ（β、ｒ、λ）の一例が図５に示されている。図５（Ａ）には、像高ｒ＝０ｍｍの場合における分光透過率Ｔｏ（β、０、λ）が示されており、図５（Ｂ）には、像高ｒ＝８ｍｍの場合における分光透過率Ｔｏ（β、８、λ）が示されており、図５（Ｃ）には、像高ｒ＝１２ｍｍの場合における分光透過率Ｔｏ（β、１２、λ）が示されており、そして、図５（Ｄ）には、像高ｒ＝１４．４ｍｍの場合における分光透過率Ｔｏ（β、１４．４、λ）が示されている。各図において、実線は、広角端での分光透過率Ｔｏ（β、ｒ、λ）であり、破線は、望遠端での分光透過率Ｔｏ（β、ｒ、λ）である。図５において、実線（広角端）の分光透過率Ｔｏと破線（望遠端）の分光透過率Ｔｏとの比較から、分光透過率Ｔｏは、倍率に依存していることが分かる。また、各図（各像高ｒ）の分光透過率Ｔｏの比較から、分光透過率Ｔｏは、像高ｒに依存していることが分かる。
【００５１】
図２に戻って、ＭＤ制御処理部２２は、２次元測色計ＭＤの各部を当該各部の機能に応じてそれぞれ制御し、測定対象を２次元で測色するための回路である。ＭＤ制御処理部２２は、例えば、ＣＰＵ（Ｃｅｎｔｒａｌ  Ｐｒｏｃｅｓｓｉｎｇ  Ｕｎｉｔ）およびその周辺回路を備えて構成される。ＭＤ制御処理部２２は、前記制御処理プログラムが実行されることによって、測色側制御部（ＭＤ制御部）２２１、２次元測色演算部２２２および測色位置取得出力処理部２２３を機能的に備える。
【００５２】
ＭＤ制御部２２１は、２次元測色計ＭＤの各部を当該各部の機能に応じてそれぞれ制御し、２次元測色計ＭＤの全体制御を司るものである。
【００５３】
２次元測色演算部２２２は、２次元測定部２１（２１ａ、２１ｂ）で測定した複数の２次元光量分布、および、補正情報記憶部２４１に記憶され、２次元測定部２１の焦点距離取得部２１４で取得した焦点距離に対応した補正情報に基づいて、測定対象の２次元色分布を求めるものである。より具体的には、本実施形態では、２次元測定部２１が三原色の色成分の２次元光量分布を測定しているので、２次元測色演算部２２２は、２次元測定部２１で測定した赤色、緑色および青色の３種類の２次元光量分布、および、補正情報記憶部２４１に記憶され、２次元測定部２１の焦点距離取得部２１４で取得した焦点距離（本実施形態では倍率β）に対応した補正情報に基づいて、測定対象の三刺激値Ｘ、Ｙ、Ｚの２次元分布を求める。そして、本実施形態では、２次元測色演算部２２２は、さらに、この求めた測定対象の三刺激値Ｘ、Ｙ、Ｚの２次元分布に基づいて、国際照明委員会（ＣＩＥ）で規定された輝度Ｙおよび色度ｘｙを求める。より詳しくは、２次元測色演算部２２２は、２次元測定部２１で測定した複数の２次元光量分布を測定対象の２次元色分布へ変換する変換行列を用いることによって、２次元測定部２１で測定した複数の２次元光量分布から測定対象の２次元色分布を求める。ここで、前記変換行列は、前記補正情報としての前記所定の光学特性（本実施形態では分光透過率Ｔｏ（β、ｒ、λ））から後述のように求められ、前記変換行列の各行列成分は、変倍光学系２１１における焦点距離（本実施形態では倍率β）に依存した所定の光学特性（本実施形態では分光透過率Ｔｏ（β、ｒ、λ））に基づいた値である。
【００５４】
測色位置取得出力処理部２２３は、表示装置ＤＰに表示された２次元測色計ＭＤの位置を測色位置として取得し、この取得した２次元測色計ＭＤの位置を対応付けて前記２次元色分布（２次元測色計ＭＤの測色結果）をＭＤＩＦ部２３から出力するものである。より具体的には、測色位置取得出力処理部２２３は、２次元測定部２１によって取得した表示装置ＤＰの画像から、公知の文字認識技術によって、表示装置ＤＰに表示された２次元測色計ＭＤの位置を前記測色位置として取得し、この取得した２次元測色計ＭＤの位置を対応付けて前記測色結果をＭＤＩＦ部２３から出力する。２次元測定部２１は、通常、上述のようにエリアイメージセンサ２１３を備えるので、表示装置ＤＰの画像を取得できる。
【００５５】
一方、この表示システムＤＳにおける表示装置ＤＰは、例えば、図６に示すように、ステレオカメラ１１と、表示部１２と、表示側制御処理部（ＤＰ制御処理部）１４と、表示側記憶部（ＤＰ記憶部）１５と、アンテナ１６と、表示側インターフェース部（ＤＰＩＦ部）１７とを備える。
【００５６】
ステレオカメラ１１は、ＤＰ制御処理部１４に接続され、ＤＰ制御処理部１４の制御に従って所定の撮像対象を撮像して一対の画像（画像データ）を生成する装置である。後述するように本実施形態では、ユーザの所在位置（Ｕｘ、Ｕｙ、Ｕｚ）は、ステレオカメラ１１で生成された一対の画像に基づいて検出されるので、前記所定の撮像対象は、表示部１２における表示面の前方の領域となる。ステレオカメラ１１は、例えば、各撮影方向が互いに略平行となるように所定の距離（基線長）だけ離間して配設された一対のカメラを備える。ステレオカメラ１１は、その生成した一対の画像をＤＰ制御処理部１４へ出力する。ステレオカメラ１１は、後述の位置処理部１４３と組むことで、表示部１２の表示面に対するユーザの所在位置を検出する位置検出部の一例を構成する。
【００５７】
表示部１２は、ＤＰ制御処理部１４に接続され、ＤＰ制御処理部１４の制御に従って表示面に所定の表示を行う装置である。表示部１２は、例えば、表示パネル、および、前記表示パネルの表示面に前記所定の表示として例えば静止画や動画等のコンテンツを表示するように、前記表示パネルをＤＰ制御処理部の制御に従って駆動する駆動回路等を備えて構成される。前記表示パネルは、例えば、液晶表示パネルや有機ＥＬパネルやプラズマパネル等である。
【００５８】
アンテナ１６は、ＤＰ制御処理部１４に接続され、電波を受信して受信信号を生成し、この生成した受信信号をＤＰ制御処理部１４へ出力するものである。
【００５９】
ＤＰＩＦ部１７は、ＤＰ制御処理部１４に接続され、ＤＰ制御処理部１４の制御に従って外部機器との間でデータの入出力を行う回路であり、例えば、ＲＳ−４８５規格を用いたインターフェース回路、ＵＳＢ規格を用いたインターフェース回路、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、登録商標）規格を用いたインターフェース回路およびＩＥＥＥ１３９４規格を用いたインターフェース回路等である。
【００６０】
ＤＰ記憶部１５は、ＤＰ制御処理部１４に接続され、ＤＰ制御処理部１４の制御に従って各種の所定のプログラムおよび各種の所定のデータを記憶する回路である。前記各種の所定のプログラムには、例えば、表示装置ＤＰの各部を当該各部の機能に応じてそれぞれ制御するＤＰ制御プログラムや、アンテナ１６で得られた受信信号を映像信号に変換し、この映像信号の映像を表示部１２の表示面に表示するように、表示部１２を制御する映像信号生成プログラムや、ステレオカメラ１１で生成した一対の画像に基づいてユーザの所在位置（Ｕｘ、Ｕｙ、Ｕｚ）を求める位置処理プログラムや、前記映像信号生成プログラムによって表示部１２の表示面に前記映像を表示する際に、前記位置処理プログラムで求めたユーザの所在位置（Ｕｘ、Ｕｙ、Ｕｚ）と後述の測色情報とに基づいて、前記ユーザの所在位置（Ｕｘ、Ｕｙ、Ｕｚ）から前記表示面を見た場合に予め設定された目標の見え方となるように、表示部１２の表示状態を調整する表示調整プログラムや、２次元測色計ＭＤからＤＰＩＦ部１７を介して、２次元測色計ＭＤの測色結果（表示面の２次元色分布）を取得しこの取得した前記測色結果を前記測色情報としてＤＰ記憶部１５に記憶する測色情報記憶処理プログラムや、前記測色結果を得るために表示部１２の表示面に所定の色を表示する際に、ステレオカメラ１１で生成した一対の画像に基づいて求めた２次元測色計ＭＤの位置ＰＭ（ＭＤｘ、ＭＤｙ、ＭＤｚ）を表示する位置表示処理プログラム等の制御処理プログラムが含まれる。前記各種の所定のデータには、前記測色情報等の各プログラムを実行する上で必要なデータ等が含まれる。ＤＰ記憶部１５は、例えばＲＯＭ、ＥＥＰＲＯＭおよびＲＡＭ等を含む。そして、ＤＰ記憶部１５は、前記測色情報を記憶するために、測色情報記憶部１５１を機能的に備える。
【００６１】
測色情報記憶部１５１は、前記測色情報を記憶するものである。前記測色情報は、例えば製造段階や出荷段階等の、ユーザが表示装置ＤＰを使用する前に、生産者等によって予め測色情報記憶部１５１に記憶される。前記測色情報は、表示部１２の前記表示面に対する複数の測色位置（ＭＤｘ、ＭＤｙ、ＭＤｚ）それぞれから前記表示面を２次元で測色した複数の測色結果に前記複数の測色位置（ＭＤｘ、ＭＤｙ、ＭＤｚ）それぞれを対応付けた情報である。測色結果は、２次元で測色するので、位置の座標値および測色値を持つ（例えば、表示面上の水平方向の座標値ＤＰｘ、表示面の垂直方向の座標値ＤＰｙ、輝度値Ｙ、色度値ｘ、ｙ等）。前記測色情報を得る測定（測色）では、表示部１２の表示状態を調整する上で好適な予め設定された所定の画像（色度輝度補正用画像（測色情報取得用画像））が表示部１２に表示され、前記測色位置（ＭＤｘ、ＭＤｙ、ＭＤｚ）に２次元測色計ＭＤが配置され、表示部１２の表示面が２次元で測色される。そして、このような測色が前記複数の測色位置（ＭＤｘ、ＭＤｙ、ＭＤｚ）それぞれで実行される。前記測定は、例えば、図７に示すように、前記複数の測色位置（ＭＤｘ、ＭＤｙ、ＭＤｚ）に１個の２次元測色計ＭＤが順次に配置されることで実行されて良く、また例えば、前記測定は、図８に示すように、前記複数の測色位置（ＭＤｘ、ＭＤｙ、ＭＤｚ）それぞれに複数の２次元測色計ＭＤが同時に配置されることで実行されて良い。
【００６２】
より具体的には、図７および図８それぞれに示すように、表示部１２における前記表示面の中央位置（例えば前記表示面が矩形である場合に対角線の交点位置等）を通る前記表示面の法線をＭＤｚ軸とし、前記ＭＤｚ軸に直交しかつ互いに直交する水平方向および垂直方向それぞれに沿った水平線および垂直線それぞれをＭＤｘ軸およびＭＤｙ軸とするＭＤｘＭＤｙＭＤｚ直交座標系を設定した場合に、前記測色情報は、５個の第１から第５測色位置ＰＭ１〜ＰＭ５に１個の２次元測色計ＭＤが順次に配置され、あるいは、５個の第１から第５測色位置ＰＭ１〜ＰＭ５それぞれに５個の２次元測色計ＭＤ−１〜ＭＤ−５が同時に、配置され、表示部１２の表示面が２次元で測色されることで、生成される。前記測定の際に、前記色度輝度補正用画像（測色情報取得用画像）として、前記表示面の全面に白色、原色および中間色それぞれが表示される。したがって、本実施形態では、前記測色情報は、前記複数の表示部１２の測色位置（ＭＤｘ、ＭＤｙ、ＭＤｚ）それぞれにおいて、前記表示面の全面に白色、原色および中間色それぞれを表示させて測色された測色結果を含む。前記原色は、赤色（Ｒ）、緑色（Ｇ）および青色（Ｂ）を含む（すなわち、前記測色情報は、前記複数の測色位置（ＭＤｘ、ＭＤｙ、ＭＤｚ）それぞれにおいて、前記表示面の全面に赤色、緑色および青色それぞれを表示させて測色された測色結果を含む）。図７および図８それぞれに示す例では、ミリメートル単位（ｍｍ）で、第１測色位置ＰＭ１は、座標（０、０、１０００）であり、第２測色位置ＰＭ２は、座標（−７００、０、１０００）であり、第３測色位置ＰＭ３は、座標（７００、０、１５００）であり、第４測色位置ＰＭ４は、座標（−３５０、−５００、２０００）であり、そして、第５測色位置ＰＭ５は、座標（３５０、５００、２０００）である。このように前記測色情報は、前記表示面から互いに異なる距離であって水平方向および垂直方向の互いに異なる複数の測色位置それぞれで得られた複数の測色結果を含む。このような第１から第５測色位置ＰＭ１〜ＰＭ５それぞれにおいて、所定の温度（例えば室温２５℃等）の場合に、２次元測色計ＭＤによって表示部１２の前記表示面を２次元で測色した第１から第５測色結果の一例が図９〜図１３それぞれに示されている。図９〜図１３では、表示部１２の表示面上に、表示部１２における前記表示面の中央位置（例えば前記表示面が矩形である場合に対角線の交点位置等）を座標原点とし、互いに直交する水平線および垂直線それぞれをＤＰｘ軸およびＤＰｙ軸とするＤＰｘＤＰｙ直交座標系を設定した場合に、各測色結果は、横方向を各ＤＰｘ値とし、縦方向を各ＤＰｙ値とする２次元マトリクス状のテーブルに登録されている。なお、各ＤＰｘ値は、複数の画素数から成る第１間隔（水平）ごとに割り当てられ、各ＤＰｙ値は、複数の画素数から成る第２間隔（垂直）ごとに割り当てられている。例えば、表示部１２の表示解像度が１９２０×１０８０である場合、前記第１間隔は、６２画素であり、各ＤＰｘは、６２画素ごとに割り当てられ、前記第２間隔は、７２画素であり、各ＤＰｙは、７２画素ごとに割り当てられる。したがって、図９〜図１３に示す例では、原則���２×７２を単位領域として表示部１２の表示面における２次元分布が測色されている（周辺は、６１×７２）。したがって、前記測色結果は、表示部１２の前記表示面を複数に分けた複数の単位領域それぞれに対する複数の測定値を含む。そして、前記テーブルの各欄には、上段に輝度値Ｙが登録され、中段に、ｘｙ色度図における色度ｘが登録され、そして、下段に、前記ｘｙ色度図における色度ｙが登録されている。白色表示（赤Ｒ＝２５５／緑Ｇ＝２５５／青Ｂ＝２５５）した状態で、例えば、図９において、前記表示面上の位置（−７、−１５）での測色結果は、輝度Ｙが４０ｃｄ／ｍ２であり、色度ｘが０．３３０であり、色度ｙが０．３４５であり、前記表示面上の位置（０、０）での測色結果は、輝度Ｙが１００ｃｄ／ｍ２であり、色度ｘが０．３１２７であり、色度ｙが０．３２９０であり、前記表示面上の位置（−７、１５）での測色結果は、輝度Ｙが４４ｃｄ／ｍ２であり、色度ｘが０．３２９であり、色度ｙが０．３４５であり、そして、前記表示面上の位置（７、−１５）での測色結果は、輝度Ｙが３９ｃｄ／ｍ２であり、色度ｘが０．３３３であり、色度ｙが０．３４８である。これら輝度Ｙは、前記表示面の全面に白色を表示させて測色された測色結果に基づいて得られ、色度ｘ、ｙは、前記表示面の全面に赤色（Ｒ＝２５５／Ｇ＝０／Ｂ＝０）、緑色（Ｒ＝０／Ｇ＝２５５／Ｂ＝０）および青色（Ｒ＝０／Ｇ＝０／Ｂ＝２５５）それぞれを表示させて測色された各測色結果に基づいて得られる。また、白色でも、諧調を変更した中間色表示、例えば、（Ｒ＝１２８／Ｇ＝１２８／Ｂ＝１２８）、（Ｒ＝６４／Ｇ＝６４／Ｂ＝６４、（Ｒ＝３２／Ｇ＝３２／Ｂ＝３２）等を表示させて、図９〜図１３に相当する測定結果が得られる。さらに、シアン（Ｒ＝０／Ｇ＝２５５／Ｂ＝２５５）、マゼンタ（Ｒ＝２５５／Ｇ＝０／Ｂ＝２５５）、イエロー（Ｒ＝２５５／Ｇ＝２５５／Ｂ＝０）等補色を表示させて、図９〜図１３に相当する測定結果が得られる。さらに、任意の各種中間色、例えばダークオレンジ（Ｒ＝２５５／Ｇ＝１４０／Ｂ＝０）、ライトピンク（Ｒ＝２５５／Ｇ＝１８２／Ｂ＝１９３）等の中間色を表示して、図９〜図１３に相当する測定結果が得られる。そして、これを元に、単色の場合と同様に、測色情報に反映させる。なお、上述のように設定されたＭＤｘＭＤｙＭＤｚ直交座標系およびＤＰｘＤＰｙ直交座標系では、ＭＤｘ軸とＤＰｘ軸とは、互いに一致させ、ＭＤｙ軸とＤＰｙ軸とは、互いに一致させている（ＭＤｘ＝ＤＰｘ、ＭＤｙ＝ＤＰｙ）。
【００６３】
そして、測色情報記憶部１５１には、このような各測色結果を登録した各テーブルがその測色位置（ＭＤｘ、ＭＤｙ、ＭＤｚ）に対応付けられて記憶される。
【００６４】
なお、上述では、測色位置は、５個箇所であるが、これに限定されるものではなく、例えば表示部１２の視野角や表示装置ＤＰの仕様等に応じて適宜な個数に設定される。また、上述では、表示部１２の測色における領域数は、表示部１２の表示面を、横方向に３１分割するとともに縦方向に１５分割（３１×１５分割）した４６５個であるが、前記領域数は、これに限定されるものではなく、例えば表示部１２の視野角や表示装置ＤＰの仕様等に応じて適宜な個数に設定される。
【００６５】
図６に戻って、ＤＰ制御処理部１４は、表示装置ＤＰの各部を当該各部の機能に応じてそれぞれ制御し、表示部１２の表示面に所定の表示を行う際に、前記ユーザの所在位置（Ｕｘ、Ｕｙ、Ｕｚ）から前記表示面を見た場合に、予め設定された目標の見え方となるように、前記表示部１２の表示状態を調整する回路である。ＤＰ制御処理部１４は、例えば、ＣＰＵ（またはＦＰＧＡ（ｆｉｅｌｄ  ｐｒｏｇｒａｍｍａｂｌｅ  ｇａｔｅ  ａｒａｙ））およびその周辺回路を備えて構成される。ＤＰ制御処理部１４は、前記制御処理プログラムが実行されることによって、表示側制御部（ＤＰ制御部）１４１、映像信号生成部１４２、位置処理部１４３、表示調整部１４４、測色情報記憶処理部１４５および位置表示処理部１４６を機能的に備える。
【００６６】
ＤＰ制御部１４１は、表示装置ＤＰの各部を当該各部の機能に応じてそれぞれ制御し、表示装置ＤＰの全体制御を司るものである。
【００６７】
映像信号生成部１４２は、アンテナ１６で得られた受信信号を映像信号に変換し、この映像信号の映像を表示部１２の表示面に表示するように、表示部１２を制御するものである。なお、映像信号生成部１４２は、ネットワークを介してダウンロードしたコンテンツや、記録媒体から読み込んだコンテンツや、ＤＰ記憶部１５に記憶されたコンテンツ等を表示部１２の表示面に表示するように、表示部１２を制御しても良い。
【００６８】
位置処理部１４３は、ステレオカメラ１１で生成した一対の画像に基づいて前記ユーザの所在位置を求めるものである。より具体的には、位置処理部１４３は、ステレオカメラ１１の一方で得られた画像から、例えば予め用意された人物モデルのパターンマッチングによって、あるいは、人物検出用に学習したニューラルネットワークによって、人物領域（ユーザを写した画像領域）を検出し、この検出した人物領域内における所定点の方向（Ｕｘ、Ｕｙ）を求め、ステレオカメラ１１で得られた一対の画像から前記人物領域内の前記所定点に対する視差を求め、この求めた視差から三角測量の原理によって前記人物領域までの距離（Ｕｚ）を求め、これによってユーザの所在位置（Ｕｘ、Ｕｙ、Ｕｚ）を検出する。前記所定点は、前記人物領域内であれば任意の位置の点であって良く、例えば、前記人物領域の重心位置であって良く、また例えば、前記人物領域における頭部部分の重心位置であって良く、また例えば、前記人物領域に外接する矩形における各対角線の交点であって良い。
【００６９】
表示調整部１４４は、位置処理部１４３で求めたユーザの所在位置（Ｕｘ、Ｕｙ、Ｕｚ）と測色情報記憶部１５１に記憶された測色情報とに基づいて、前記ユーザの所在位置（Ｕｘ、Ｕｙ、Ｕｚ）から表示部１２の前記表示面を見た場合に予め設定された目標の見え方となるように、表示部１２の表示状態（表示出力）を調整する。前記表示状態（表示出力）は、輝度および色度のうちの少なくとも一方である。本実施形態では、前記測色情報は、輝度Ｙおよび色度ｘ、ｙを含むので、前記表示状態（表示出力）は、輝度および色度の両方であるが（すなわち、輝度Ｙおよび色度ｘ、ｙの両方が調整される）、前記測色情報が輝度Ｙのみである場合には、前記表示状態（表示出力）は、輝度Ｙのみであって良く（すなわち、輝度Ｙのみが調整される）、また、前記測色情報が色度ｘ、ｙのみである場合には、前記表示状態（表示出力）は、色度ｘ、ｙのみであって良い（すなわち、色度ｘ、ｙのみが調整される）。
【００７０】
前記目標の見え方は、予め定義された所定の見え方であって良く、好ましくは、前記目標の見え方は、表示部１２における表示面の中央位置を通る前記表示面の法線上から前記表示面の前記中央位置を見た場合における見え方（正常な見え方）であって良い。本実施形態では、前記目標の見え方は、表示部１２の表示面における、ユーザの所在位置（Ｕｘ、Ｕｙ、Ｕｚ）を通る前記表示面の法線を含む所定広さの領域（例えばユーザが法線方向に対してＦＯＶ（Ｆｉｅｌｄ  ｏｆ  Ｖｉｅｗ）５°以内で見る領域等）を前記法線上から見た場合における見え方（ユーザの所在位置での見え方）である。
【００７１】
より具体的には、表示調整部１４４は、測色情報記憶部１５１に記憶された測色情報から位置処理部１４３で求めたユーザの所在位置（Ｕｘ、Ｕｙ、Ｕｚ）に応じた測色結果を取り出し、この取り出した測色結果と前記目標の見え方との差を補償するように表示部１２における各画素の出力を調整することで、表示部１２の表示状態を調整する。例えば、所在位置（Ｕｘ、Ｕｙ、Ｕｚ）のＵｘＵｙＵｚ直交座標系およびＭＤｘＭＤｙＭＤｚ直交座標系が互いに一致する場合に、表示調整部１４４は、測色情報記憶部１５１に記憶された測色情報から、位置処理部１４３で求めたユーザの所在位置（Ｕｘ、Ｕｙ、Ｕｚ）を測定位置（ＭＤｘ、ＭＤｙ、ＭＤｚ）とする測色結果（ＭＤｘ＝Ｕｘ、ＭＤｙ＝Ｕｙ、ＭＤｚ＝Ｕｚの測色結果）を取り出す。図９〜図１３に示す例では、輝度Ｙおよび色度ｘ、ｙの各値は、表示部１２における表示面上の位置に応じた値であるので、前記取り出した測色結果と前記目標の見え方との差（調整値）は、表示部１２における表示面上の位置に応じた値となり、表示調整部１４４は、表示部１２における前記表示面上の位置に応じた調整値で、表示部１２の表示状態を調整する。より具体的には、表示調整部１４４は、表示部１２における各画素ごとに、前記取り出した測色結果と前記目標の見え方との差を補償するように前記表示面上の位置に応じた調整値をそれぞれ生成し、この生成した各調整値で表示部１２における各画素の出力を調整することで、表示部１２の表示状態を調整する。例えば、図９に示す例において、ユーザが座標（０、０、１０００）に所在する場合には、座標（０、０）の測定結果（輝度Ｙ＝１００ｃｄ／ｍ２、色度ｘ＝０．３１２７、色度ｙ＝０．３２９０）が前記目標の見え方となり、表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、表示部１２の表示状態が調整される。例えば、座標（−７、−１５）の領域では、その測定結果（輝度Ｙ＝４０ｃｄ／ｍ２、色度ｘ＝０．３３０、色度ｙ＝０．３４５）と目標の見え方（輝度Ｙ＝１００ｃｄ／ｍ２、色度ｘ＝０．３１２７、色度ｙ＝０．３２９０）との差が求められ、この差を調整値として、表示部１２の表示状態が調整される（例えば、輝度Ｙは、その差６０ｃｄ／ｍ２を補償するようにアップされる。すなわち、輝度Ｙは、２．５倍される）。
【００７２】
なお、表示調整部１４４は、測色情報記憶部１５１に記憶された測色情報に、位置処理部１４３で求めたユーザの所在位置（Ｕｘ、Ｕｙ、Ｕｚ）に当たる測色結果が無い場合に、測色情報記憶部１５１に記憶された測色情報から前記ユーザの所在位置（Ｕｘ、Ｕｙ、Ｕｚ）に近い順に選択した複数（例えば４個や１２個等）の測色位置に対応する複数の測色結果に基づいて、補間（例えば線形補間やスプライン補間やラグランジュ補間等）によって、前記ユーザの所在位置（Ｕｘ、Ｕｙ、Ｕｚ）に応じた前記測色結果を生成して良い。前記補間のための測色位置の選択数は、２次元であるので、上下左右の最低４個であり、さらにその外側を用いる場合には１２個となる。好ましくは、さらにその外側も用いる場合には、前記選択数は、１００個程度となる。
【００７３】
測色情報記憶処理部１４５は、２次元測色計ＭＤからＤＰＩＦ部１７で取得した測色結果を前記測色情報として測色情報記憶部１５１に記憶するものである。なお、２次元測色計ＭＤで測定した測色結果は、例えば、図略のキーボードから表示装置ＤＰに入力され、測色情報記憶部１５１に記憶されて良く、また例えば、ＵＳＢメモリ等の記録媒体に保存され、この記録媒体からＤＰＩＦ部１７を介して表示装置ＤＰに入力され、測色情報記憶部１５１に記憶されて良く、また例えば、ＰＲＯＭ（Ｐｒｏｇｒａｍｍａｂｌｅ  ＲＯＭ）やＥＰＲＯＭ（Ｅｒａｓａｂｌｅ  Ｐｒｏｇｒａｍｍａｂｌｅ  ＲＯＭ）にデータを書き込むためのＲＯＭライタ等を用いて測色情報記憶部１５１に記憶されて良い。
【００７４】
位置表示処理部１４６は、ステレオカメラ１１で生成した一対の画像に基づいて２次元測色計ＭＤの位置を前記測色位置として測定し、前記測色結果を得るために前記表示面に所定の色を表示する際に、この測定した２次元測色計ＭＤの位置を表示するものである。より具体的には、位置表示処理部１４６は、ステレオカメラ１１で生成した一対の画像のうちの一方から例えばエッジ検出等によって２次元測色計ＭＤを検出し、この検出した２次元測色計ＭＤの方向（ＭＤｘ、ＭＤｙ）を求め、ステレオカメラ１１で得られた一対の画像から前記２次元測色計ＭＤに関する視差を求め、この求めた視差から三角測量の原理によって前記２次元測色計ＭＤまでの距離（ＭＤｚ）を求め、これによって２次元測色計ＭＤの位置ＰＭ（ＭＤｘ、ＭＤｙ、ＭＤｚ）を検出する。そして、位置表示処理部１４６は、前記測色結果を得るために前記表示面に所定の色を表示する際に、この測定した２次元測色計ＭＤの位置ＰＭ（ＭＤｘ、ＭＤｙ、ＭＤｚ）を表示する。
【００７５】
（動作）
次に、本実施形態の動作について説明する。図１４は、表示装置および２次元測色計間の距離と画角（焦点距離、倍率）との関係を説明するための図である。図１４（Ａ）は、２次元測色計ＭＤが表示装置ＤＰの表示面に対し比較的近い位置に配置された場合（表示装置および２次元測色計間の距離が比較的短い場合）を示し、図１４（Ｂ）は、２次元測色計ＭＤが表示装置ＤＰの表示面に対し比較的遠い位置に配置された場合（表示装置および２次元測色計間の距離が比較的長い場合）を示す。図１５は、イメージセンサの出力に与える倍率の影響を説明するための図である。図１５（Ａ）は、ＣＩＥで規定された等色関数を示し、その横軸は、ｎｍ単位で表す波長（Ｗａｖｅｌｅｎｇｔｈ）であり、その縦軸は、相対分光応答度である。実線は、等色関数Ｘ（ｘ（λ））であり、破線は、等色関数Ｙ（ｙ（λ））であり、一点鎖線は、等色関数Ｚ（ｚ（λ））である。図１５（Ｂ）は、レンズ（光学系）の分光透過率を示し、その横軸は、ｎｍ単位で表す波長（Ｗａｖｅｌｅｎｇｔｈ）であり、その縦軸は、相対分光透過率（Ｔｒａｎｓｍｉｔｔａｎｃｅ（ａ．ｕ））である。実線は、広角端での分光透過率（Ｗｉｄｅ）であり、そして、破線は、望遠端での分光透過率（Ｔｅｌｅ）である。図１５（Ｂ）に示すように、光学倍率βにより分光透過率が変化している。２次元測色計ＭＤのエリアイメージセンサ２１３に入射する光は、このようなレンズを通過してくるので、光学倍率βによる特性を考慮する必要がある。図１６は、測色情報を取得する際に、実施形態の表示システムにおける表示装置の表示部に表示される画面の一例を説明するための図である。図１７は、エリアイメージセンサの画素位置と像高との関係を説明するための図である。図１７の横軸は、イメージセンサにおける横方向の画素位置（画素番号）を示し、その縦軸は、エリアイメージセンサにおける縦方向の画素位置（画素番号）を示す。前記横方向の画素位置ｉは、エリアイメージセンサ２１３における最も左にかつ最も上に位置する画素から右方向へ数えた画素番号ｉで表され、前記縦方向の画素位置ｊは、エリアイメージセンサ２１３における最も左にかつ最も上に位置する画素から右方向へ数えた画素番号ｊで表される。図１８は、測色結果において、２次元測色計の座標値と表示装置の表示面の座標値との関係を説明するための図である。図１９は、実施形態の表示システムにおける表示装置の表示状態の調整に関する動作を示すフローチャートである。
【００７６】
本実施形態における表示システムＤＳでは、表示装置ＤＰは、ユーザの所在位置（Ｕｘ、Ｕｙ、Ｕｚ）に応じて表示部１２の表示状態（表示出力）を調整している。このために、表示装置ＤＰのユーザによる使用前に、ユーザの所在位置（Ｕｘ、Ｕｙ、Ｕｚ）での表示装置ＤＰの見え方を２次元測色計ＭＤによって解析し、その測定結果（表示装置ＤＰの表示面の２次元色分布）を測色情報としてＤＰ記憶部１５に記憶しておく必要がある。ユーザの所在位置（Ｕｘ、Ｕｙ、Ｕｚ）での表示装置ＤＰの見え方を解析するために、２次元測色計ＭＤは、例えば、図７や図８に示すように、表示装置ＤＰに対し様々な位置に配置される。このような様々な位置において、エリアイメージセンサ２１３の受光面全面を有効に活用するために、変倍光学系２１１の画角は、表示装置ＤＰにおける表示面の大きさに、なるべく一致していることが望ましい。すなわち、２次元測色計ＭＤが表示装置ＤＰに対し比較的近い位置に配置される場合には、図１４（Ａ）に示すように、変倍光学系２１１は、広い画角、すなわち、広角端（Ｗｉｄｅ）寄りに設定されることが望ましい。一方、２次元測色計ＭＤが表示装置ＤＰに対し比較的遠い位置に配置される場合には、図１４（Ｂ）に示すように、変倍光学系２１１は、狭い画角、すなわち、望遠端（Ｔｅｌｅ）寄りに設定されることが望ましい。
【００７７】
ところで、エリアイメージセンサ２１３から出力される信号Ｓ（Ｓｘ、Ｓｙ、Ｓｚ）は、変倍光学系２１１およびバンドパスフィルタ２１２を介してエリアイメージセンサ２１３で受光されることによって生成されるので、変倍光学系２１１の分光透過率Ｔｏと、バンドパスフィルタ２１２およびエリアイメージセンサ２１３の総合的な分光感度Ｓｏ（Ｓｏｘ、Ｓｏｙ、Ｓｏｚ）とに影響される。ここで、バンドパスフィルタ２１２およびエリアイメージセンサ２１３の総合的な分光感度Ｓｏが図１５に示す等色関数Ｘであると仮定すると、Ｘ成分の信号Ｓｘは、広角端では、等色関数Ｘを表す実線のグラフｘ（λ）（＝Ｓｏｘ）と、広角端の分光透過率Ｔｏを表す実線のグラフＷｉｄｅ（＝Ｔｏ（広角端））との重なり部分の面積に応じた値（Ｓｘ（広角端）＝Ｓｏｘ＊Ｔｏ（広角端））となり、一方、望遠端では、等色関数Ｘを表す実線のグラフｘ（λ）（＝Ｓｏｘ）と、望遠端の分光透過率Ｔｏを表す破線のグラフＴｅｌｅ（＝Ｔｏ（望遠端））との重なり部分の面積に応じた値（Ｓｘ（望遠端）＝Ｓｏｘ＊Ｔｏ（望遠端））となる。変倍光学系２１１の分光透過率Ｔｏが広角端から望遠端まで同じである場合（Ｔｏ（広角端）＝Ｔｏ（望遠端））には、広角端におけるＸ成分の値と望遠端におけるＸ成分の値とは、互いに一致した値になる（Ｓｘ（広角端）＝Ｓｘ（望遠端））。しかしながら、図１５や上述の図５に示すように、変倍光学系２１１の分光透過率Ｔｏが広角端から望遠端まで同じであるとは限らないため（通常、Ｔｏ（広角端）≠Ｔｏ（望遠端））、広角端におけるＸ成分の値と望遠端におけるＸ成分の値とは、互いに一致した値になるとは限らない（通常、Ｓｘ（広角端）≠Ｓｘ（望遠端））。Ｙ成分およびＺ成分それぞれも同様である。このため、本実施形態における２次元測色計ＭＤは、焦点距離の変化に伴う変倍光学系２１１の分光透過率Ｔｏの変化を、以下のように補償して測定値を求め、これによって測定誤差をより低減している。さらに、上述の図５に示すように、変倍光学系２１１の分光透過率Ｔｏが像高ｒにも依存しているので、他の一例で、広角端および望遠端間で生じる倍率色収差による色度誤差△ｘ、△ｙを像高ｒ別に求めると、表１に示す値が求まり、周辺（ｒ＝１４．４）の色度は、倍率色収差により、真値より、色度（−０．００５６、−０．００７５）だけ間違った値となり、一般的な色度精度である±０．００５程度を越えてしまうので、その誤差の修正が必要である。本実施形態における２次元測色計ＭＤは、像高ｒの変化に伴う変倍光学系２１１の分光透過率Ｔｏの変化も、以下のように補償して測定値を求めている。
【００７８】
【表１】
0006617537.tif 000002
【００７９】
以下、表示装置ＤＰにおける色度輝度補正用画像（測色情報取得用画像）の表示、２次元測色計ＭＤによる、分光透過率Ｔｏの変化を補償した表示装置ＤＰの測定、および、表示装置ＤＰにおけるユーザの所在位置（Ｕｘ、Ｕｙ、Ｕｚ）に応じた表示状態（表示出力）の調整の順でそれぞれを説明する。
【００８０】
（表示装置ＤＰにおける色度輝度補正用画像の表示）
本実施形態における表示システムＤＳでは、表示装置ＤＰにおける図略の電源スイッチがオンされると、ＤＰ制御処理部１４は、必要な各部の初期化を実行し、制御処理プログラムの実行によって、ＤＰ制御処理部１４には、ＤＰ制御部１４１、映像信号生成部１４２、位置処理部１４３、表示調整部１４４、測色情報記憶処理部１４５および位置表示処理部１４６が機能的に構成される。同様に、２次元測色計ＭＤにおける図略の電源スイッチがオンされると、必要な各部の初期化を実行し、制御処理プログラムの実行によって、ＭＤ制御処理部２２には、ＭＤ制御部２２１、２次元測色演算部２２２および測色位置取得出力処理部２２３が機能的に構成される。
【００８１】
まず、例えば、図７に示すように、第１測色位置ＰＭ１に２次元測色計ＭＤが配置される。次に、表示装置ＤＰは、ＤＰ制御処理部１４の位置表示処理部１４６によって、ステレオカメラ１１で生成した一対の画像に基づいて２次元測色計ＭＤの位置（ＭＤｘ、ＭＤｙ、ＭＤｚ）を前記測色位置として測定する。そして、表示装置ＤＰは、ＤＰ制御処理部１４の位置表示処理部１４６によって、例えば、図１６に示すように、色度輝度補正用画像を表示部１２の表示面に表示する際に、この測定した２次元測色計ＭＤの位置（ＭＤｘ、ＭＤｙ、ＭＤｚ）を表示する。図１６に示す例では、表示部１２には、２次元測色計ＭＤの位置ＰＭとして、ＭＤｘ＝０、ＭＤｙ＝０、ＭＤｚ＝１０００が表示されている。また図１６には、２次元測色計ＭＤを表示部１２の表示面上に正射影した場合における２次元測色計ＭＤの影が破線で示されている。
【００８２】
（２次元測色計ＭＤによる表示装置ＤＰの測定）
表示装置ＤＰが色度輝度補正用画像を表示部１２に表示している間に、まず、生産者等のオペレータは、変倍光学系２１１の画角が表示部１２における表示面の大きさに、なるべく一致するように、焦点距離、言い換えれば倍率（画角）を調整して設定する。そして、前記オペレータは、例えば図略の測定開始スイッチ等を操作し、この操作によって２次元測色計ＭＤに測定を開始させる。
【００８３】
測定を開始すると、２次元測色計ＭＤは、２次元測定部２１によって、測定対象である表示部１２の光学像を変倍光学系２１１を介して受光し、複数の色成分それぞれに対応した複数の２次元光量分布（表示部１２の画像）を測定し、この測定の際の変倍光学系２１１の焦点距離を取得する。より具体的には、本実施形態では、２次元測定部２１が第１態様の２次元測定部２１ａである場合には、第１ないし第３バンドパルフィルタ２１２−Ｘ、２１２−Ｙ、２１２−Ｚを順次に択一的に切り換えることによって、２次元測定部２１ａは、測定対象の光学像を変倍光学系２１１およびバンドパスフィルタ２１２（２１２−Ｘ、２１２−Ｙ、２１２−Ｚ）を介してエリアイメージセンサ２１３で受光し、三原色の色成分それぞれに対応した３種類の２次元光量分布を測定し、これら３種類の２次元光量分布をＭＤ制御処理部２２へ出力する。そして、２次元測定部２１ａは、焦点距離取得部２１４によって、変倍光学系２１１の焦点距離を取得し、この取得した焦点距離に対応する倍率βをＭＤ制御処理部２２へ出力する。また、２次元測定部２１が第２態様の２次元測定部２１ｂである場合には、本実施形態では、２次元測定部２１ｂは、測定対象の光学像を変倍光学系２１１、光分配部２１５および第１ないし第３バンドパスフィルタ２１２−Ｘ、２１２−Ｙ、２１２−Ｚそれぞれを介して第１ないし第３エリアイメージセンサ２１３−１、２１３−２、２１３−３それぞれで受光し、三原色の色成分それぞれに対応した３種類の２次元光量分布を測定し、これら３種類の２次元光量分布をＭＤ制御処理部２２へ出力する。そして、２次元測定部２１ａは、焦点距離取得部２１４によって、変倍光学系２１１の焦点距離を取得し、この取得した焦点距離に対応する倍率βをＭＤ制御処理部２２へ出力する。
【００８４】
そして、２次元測色計ＭＤは、ＭＤ制御処理部２２の測色位置取得出力処理部２２３によって、２次元測定部２１で測定した２次元光量分布、言い換えれば、測定対象である表示部１２の画像から、ＯＣＲ等の公知の文字認識技術によって、表示部１２の表示面に表示された２次元測色計ＭＤの位置（ＭＤｘ、ＭＤｙ、ＭＤｚ）を前記測色位置として求める（図１１に示す例では、ＭＤｘ＝０、ＭＤｙ＝０、ＭＤｚ＝１０００）。
【００８５】
さらに、２次元測色計ＭＤは、ＭＤ制御処理部２２の２次元測色演算部２２２によって、２次元測定部２１（２１ａ、２１ｂ）で測定した複数の２次元光量分布、および、補正情報記憶部２４１に記憶され、２次元測定部２１の焦点距離取得部２１４で取得した焦点距離に対応した補正情報に基づいて、測定対象の２次元色分布を求める。より具体的には、本実施形態では、２次元測色演算部２２２は、２次元測定部２１で測定した赤色、緑色および青色の３種類の２次元光量分布、および、補正情報記憶部２４１に記憶され、２次元測定部２１の焦点距離取得部２１４で取得した焦点距離に対応する倍率βに応じた補正情報（β）に基づいて、表示部１２に表示された色度輝度補正用画像における三刺激値Ｘ、Ｙ、Ｚの２次元分布を求め、この求めた三刺激値Ｘ、Ｙ、Ｚの２次元分布に基づいて、国際照明委員会（ＣＩＥ）で規定された輝度Ｙおよび色度ｘｙを求める。ここで、２次元測色演算部２２２は、２次元測定部２１で測定した複数の２次元光量分布を測定対象の２次元色分布へ変換する変換行列を用いることによって、２次元測定部２１で測定した前記複数の２次元光量分布から前記測定対象の２次元色分布を求めており、前記変換行列は、前記補正情報としての分光透過率Ｔｏ（β、ｒ、λ））から求められる。より詳しくは、２次元測色演算部２２２は、次のように、前記補正情報としての前記変換行列を用いて、前記複数の２次元光量分布から前記測定対象の２次元色分布を求めている。
【００８６】
エリアイメージセンサ２１３における横方向（水平方向）の画素番号をｉとし、その縦方向（垂直方向）の画素番号をｊとし、画素位置ｉ、ｊの画素から出力される各色の測光量をＸｓ（ｉ、ｊ）、Ｙｓ（ｉ、ｊ）、Ｚｓ（ｉ、ｊ）とし、画素位置ｉ、ｊの画素で用いられる変換行列をＣ（ｉ、ｊ）とする場合、画素位置ｉ、ｊの画素における三刺激値Ｘ（ｉ、ｊ）、Ｙ（ｉ、ｊ）、Ｚ（ｉ、ｊ）は、次式（１）によって求められる。
【００８７】
【数１】
0006617537.tif 000003
【００８８】
前記変換行列Ｃ（ｉ、ｊ）は、次の手順によって求められる。まず、分光放射計が校正用の基準測定器として予め用意される。次に、表示装置ＤＰに、白色が表示され、同じ位置において、分光放射計および２次元測色計ＭＤそれぞれで前記白色の表示が順次に測定される。これによって分光放射計の測定結果Ｘｗ（ｉ、ｊ）、Ｙｗ（ｉ、ｊ）およびＺｗ（ｉ、ｊ）が得られ、２次元測色計ＭＤの測定結果Ｘｓｗ（ｉ、ｊ）、Ｙｓｗ（ｉ、ｊ）およびＺｓｗ（ｉ、ｊ）が得られる。分光放射計の測定結果Ｘｗ（ｉ、ｊ）、Ｙｗ（ｉ、ｊ）およびＺｗ（ｉ、ｊ）それぞれは、例えばＭＤＩＦ部２３を介して、あるいは、図略の入力部を介して、２次元測色計ＭＤに入力される。分光放射計の測定結果Ｘｗ（ｉ、ｊ）、Ｙｗ（ｉ、ｊ）およびＺｗ（ｉ、ｊ）それぞれを上記式（１）における各Ｘ（ｉ、ｊ）、Ｙ（ｉ、ｊ）、Ｚ（ｉ、ｊ）とすることで、次式（１−Ｗ）が得られる。
【００８９】
【数２】
0006617537.tif 000004
【００９０】
同様に、表示装置ＤＰに、赤色、緑色および青色の各色が順次に表示され、これら各色それぞれの各表示に対し、同じ位置において、分光放射計および２次元測色計ＭＤそれぞれで各色の表示が順次に測定され、次式（１−Ｒ）、式（１−Ｇ）および式（１−Ｂ）が得られる。
【００９１】
【数３】
0006617537.tif 000005
【００９２】
【数４】
0006617537.tif 000006
【００９３】
【数５】
0006617537.tif 000007
【００９４】
ここで、Ｘｒ（ｉ、ｊ）、Ｙｒ（ｉ、ｊ）およびＺｒ（ｉ、ｊ）は、赤色の表示を測定した場合における分光放射計の測定結果であり、Ｘｓｒ（ｉ、ｊ）、Ｙｓｒ（ｉ、ｊ）およびＺｓｒ（ｉ、ｊ）は、同位置で赤色の表示を測定した場合における２次元測色計ＭＤの測定結果である。Ｘｇ（ｉ、ｊ）、Ｙｇ（ｉ、ｊ）およびＺｇ（ｉ、ｊ）は、緑色の表示を測定した場合における分光放射計の測定結果であり、Ｘｓｇ（ｉ、ｊ）、Ｙｓｇ（ｉ、ｊ）およびＺｓｇ（ｉ、ｊ）は、同位置で緑色の表示を測定した場合における２次元測色計ＭＤの測定結果である。Ｘｂ（ｉ、ｊ）、Ｙｂ（ｉ、ｊ）およびＺｂ（ｉ、ｊ）は、青色の表示を測定した場合における分光放射計の測定結果であり、Ｘｓｂ（ｉ、ｊ）、Ｙｓｂ（ｉ、ｊ）およびＺｓｂ（ｉ、ｊ）は、同位置で青色の表示を測定した場合における２次元測色計ＭＤの測定結果である。
【００９５】
これら式（１−Ｗ）、式（１−Ｒ）、式（１−Ｇ）および式（１−Ｂ）を互いに連立させて解くことによって、変換行列Ｃ（ｉ、ｊ）が求められる。すなわち、変換行列Ｃ（ｉ、ｊ）の各成分ｃ１１（ｉ、ｊ）〜ｃ１３（ｉ、ｊ）、ｃ２１（ｉ、ｊ）〜ｃ２３（ｉ、ｊ）、ｃ３１（ｉ、ｊ）〜ｃ３３（ｉ、ｊ）が求められる。
【００９６】
ここで、各倍率βそれぞれにおいて、全ての画素（ｉ、ｊ）それぞれに対する測定を行うと、比較的多数の測定データが必要となり、スポット（点）で測定する分光放射計の測定には時間がかかるので、測定に時間がかかってしまう。例えば、３２×１８の画素それぞれに対して測定する場合、３２×１８＝５７６個のデータが必要となり、その測定に時間がかかる。このため、本実施形態では、変倍光学系２１１の分光透過率Ｔｏ（β、ｒ、λ）を用いることによって、特定の１個の画素位置ｓ、ｔ（例えば表示装置ＤＰにおける表示面の中心位置等）の画素に対する分光放射計の測定結果Ｘ（ｓ、ｔ）、Ｙ（ｓ、ｔ）、Ｚ（ｓ、ｔ）から、任意の画素位置ｉ、ｊの画素に対する分光放射計の測定結果Ｘ（ｉ、ｊ）、Ｙ（ｉ、ｊ）、Ｚ（ｉ、ｊ）が、次式（２−１）〜式（２−３）によって求められる。これによって、１個の画素位置ｓ、ｔの画素に対する測定で済む。
Ｘ（ｉ、ｊ）＝Ｘ（ｓ、ｔ）＊∫｛Ｓｘ（β、ｉ、ｊ、λ）／Ｓｘ（β、ｓ、ｔ、λ）｝＊Ｌ（β、ｓ、ｔ、λ）ｄλ      ・・・（２−１）
Ｙ（ｉ、ｊ）＝Ｙ（ｓ、ｔ）＊∫｛Ｓｙ（β、ｉ、ｊ、λ）／Ｓｙ（β、ｓ、ｔ、λ）｝＊Ｌ（β、ｓ、ｔ、λ）ｄλ      ・・・（２−２）
Ｚ（ｉ、ｊ）＝Ｚ（ｓ、ｔ）＊∫｛Ｓｚ（β、ｉ、ｊ、λ）／Ｓｚ（β、ｓ、ｔ、λ）｝＊Ｌ（β、ｓ、ｔ、λ）ｄλ      ・・・（２−３）
ここで、Ｌ（β、ｓ、ｔ、λ）は、特定の画素位置ｓ、ｔに相当する表示装置ＤＰの分光放射輝度である。
【００９７】
すなわち、白色の表示では、白色の表示における、特定の画素位置ｓ、ｔに当たる表示装置ＤＰの分光放射輝度をＬｗ（β、ｓ、ｔ、λ）とすると、任意の画素位置ｉ、ｊの画素に対する分光放射計の測定結果Ｘｗ（ｉ、ｊ）、Ｙｗ（ｉ、ｊ）、Ｚｗ（ｉ、ｊ）は、次式（２−１−Ｗ）〜式（２−３−Ｗ）によって求めることができる。
Ｘｗ（ｉ、ｊ）＝Ｘｗ（ｓ、ｔ）＊∫｛Ｓｘ（β、ｉ、ｊ、λ）／Ｓｘ（β、ｓ、ｔ、λ）｝＊Ｌ（β、ｓ、ｔ、λ）ｄλ      ・・・（２−１−Ｗ）
Ｙｗ（ｉ、ｊ）＝Ｙｗ（ｓ、ｔ）＊∫｛Ｓｙ（β、ｉ、ｊ、λ）／Ｓｙ（β、ｓ、ｔ、λ）｝＊Ｌ（β、ｓ、ｔ、λ）ｄλ      ・・・（２−２−Ｗ）
Ｚｗ（ｉ、ｊ）＝Ｚｗ（ｓ、ｔ）＊∫｛Ｓｚ（β、ｉ、ｊ、λ）／Ｓｚ（β、ｓ、ｔ、λ）｝＊Ｌ（β、ｓ、ｔ、λ）ｄλ      ・・・（２−３−Ｗ）
【００９８】
赤色の表示では、赤色の表示における、画素位置ｓ、ｔに当たる表示装置ＤＰの分光放射輝度をＬｒ（β、ｓ、ｔ、λ）とすると、任意の画素位置ｉ、ｊの画素に対する分光放射計の測定結果Ｘｒ（ｉ、ｊ）、Ｙｒ（ｉ、ｊ）、Ｚｒ（ｉ、ｊ）は、次式（２−１−Ｒ）〜式（２−３−Ｒ）によって求めることができる。
Ｘｒ（ｉ、ｊ）＝Ｘｒ（ｓ、ｔ）＊∫｛Ｓｘ（β、ｉ、ｊ、λ）／Ｓｘ（β、ｓ、ｔ、λ）｝＊Ｌ（β、ｓ、ｔ、λ）ｄλ      ・・・（２−１−Ｒ）
Ｙｒ（ｉ、ｊ）＝Ｙｒ（ｓ、ｔ）＊∫｛Ｓｙ（β、ｉ、ｊ、λ）／Ｓｙ（β、ｓ、ｔ、λ）｝＊Ｌ（β、ｓ、ｔ、λ）ｄλ      ・・・（２−２−Ｒ）
Ｚｒ（ｉ、ｊ）＝Ｚｒ（ｓ、ｔ）＊∫｛Ｓｚ（β、ｉ、ｊ、λ）／Ｓｚ（β、ｓ、ｔ、λ）｝＊Ｌ（β、ｓ、ｔ、λ）ｄλ      ・・・（２−３−Ｒ）
【００９９】
緑色の表示では、緑色の表示における、画素位置ｓ、ｔに当たる表示装置ＤＰの分光放射輝度をＬｇ（β、ｓ、ｔ、λ）とすると、任意の画素位置ｉ、ｊの画素に対する分光放射計の測定結果Ｘｇ（ｉ、ｊ）、Ｙｇ（ｉ、ｊ）、Ｚｇ（ｉ、ｊ）は、次式（２−１−Ｇ）〜式（２−３−Ｇ）によって求めることができる。
Ｘｇ（ｉ、ｊ）＝Ｘｇ（ｓ、ｔ）＊∫｛Ｓｘ（β、ｉ、ｊ、λ）／Ｓｘ（β、ｓ、ｔ、λ）｝＊Ｌ（β、ｓ、ｔ、λ）ｄλ      ・・・（２−１−Ｇ）
Ｙｇ（ｉ、ｊ）＝Ｙｇ（ｓ、ｔ）＊∫｛Ｓｙ（β、ｉ、ｊ、λ）／Ｓｙ（β、ｓ、ｔ、λ）｝＊Ｌ（β、ｓ、ｔ、λ）ｄλ      ・・・（２−２−Ｇ）
Ｚｇ（ｉ、ｊ）＝Ｚｇ（ｓ、ｔ）＊∫｛Ｓｚ（β、ｉ、ｊ、λ）／Ｓｚ（β、ｓ、ｔ、λ）｝＊Ｌ（β、ｓ、ｔ、λ）ｄλ      ・・・（２−３−Ｇ）
【０１００】
青色の表示では、青色の表示における、画素位置ｓ、ｔに当たる表示装置ＤＰの分光放射輝度をＬｂ（β、ｓ、ｔ、λ）とすると、任意の画素位置ｉ、ｊの画素に対する分光放射計の測定結果Ｘｂ（ｉ、ｊ）、Ｙｂ（ｉ、ｊ）、Ｚｂ（ｉ、ｊ）は、次式（２−１−Ｂ）〜式（２−３−Ｂ）によって求めることができる。
Ｘｂ（ｉ、ｊ）＝Ｘｂ（ｓ、ｔ）＊∫｛Ｓｘ（β、ｉ、ｊ、λ）／Ｓｘ（β、ｓ、ｔ、λ）｝＊Ｌ（β、ｓ、ｔ、λ）ｄλ      ・・・（２−１−Ｂ）
Ｙｂ（ｉ、ｊ）＝Ｙｂ（ｓ、ｔ）＊∫｛Ｓｙ（β、ｉ、ｊ、λ）／Ｓｙ（β、ｓ、ｔ、λ）｝＊Ｌ（β、ｓ、ｔ、λ）ｄλ      ・・・（２−２−Ｂ）
Ｚｂ（ｉ、ｊ）＝Ｚｂ（ｓ、ｔ）＊∫｛Ｓｚ（β、ｉ、ｊ、λ）／Ｓｚ（β、ｓ、ｔ、λ）｝＊Ｌ（β、ｓ、ｔ、λ）ｄλ      ・・・（２−３−Ｂ）
【０１０１】
また、Ｓｘ（β、ｉ、ｊ、λ）、Ｓｙ（β、ｉ、ｊ、λ）およびＳｚ（β、ｉ、ｊ、λ）それぞれは、図１４を用いて説明したように、次式（３−１）〜式（３−３）によって求めることができる。ここで、画素位置ｉ、ｊの像高は、ｒ（ｉ，ｊ）とされ、分光透過率Ｔｏ（β、ｒ（ｉ、ｊ）、λ）は、補正情報記憶部２４１に記憶された光学特性情報テーブルＴＴから、焦点距離取得部２１４で取得された焦点距離（言い換えれば、倍率β）に対応するデータである。なお、補正情報記憶部２４１に記憶された光学特性情報テーブルＴＴに、焦点距離取得部２１４で取得された倍率βに対応する分光透過率Ｔｏ（β、ｒ（ｉ、ｊ）、λ）が無い場合には、焦点距離取得部２１４で取得された倍率βに近い複数の分光透過率Ｔｏ（β、ｒ（ｉ、ｊ）、λ）から、例えば線形補間やラグランジュ補間等を用いて求められる。例えば、焦点距離取得部２１４で取得された倍率βが１．７である場合では、補正情報記憶部２４１に記憶された光学特性情報テーブルＴＴに登録されている、倍率β＝１．５の分光透過率Ｔｏ（１．７、ｒ（ｉ、ｊ）、λ）と倍率β＝２．０の分光透過率Ｔｏ（２．０、ｒ（ｉ、ｊ）、λ）とから補間によって求められる。
Ｓｘ（β、ｉ、ｊ、λ）＝Ｓｏｘ（β、ｉ、ｊ、λ）＊Ｔｏ（β、ｒ（ｉ、ｊ）、λ）・・・（３−１）
Ｓｙ（β、ｉ、ｊ、λ）＝Ｓｏｙ（β、ｉ、ｊ、λ）＊Ｔｏ（β、ｒ（ｉ、ｊ）、λ）・・・（３−２）
Ｓｚ（β、ｉ、ｊ、λ）＝Ｓｏｚ（β、ｉ、ｊ、λ）＊Ｔｏ（β、ｒ（ｉ、ｊ）、λ）・・・（３−３）
【０１０２】
ここで、像高ｒ（ｉ、ｊ）は、次のように求めることができる。エリアイメージセンサ２１３は、その中心（対角線の交点）が変倍光学系２１１の光軸に合うように配置されるので、像高ｒは、エリアイメージセンサ２１３における受光面の中心（対角線の交点）からの距離で与えられる。したがって、画素位置ｉ、ｊの画素における像高ｒ（ｉ、ｊ）は、図１７から、次式（４）で求めることができる。
ｒ（ｉ、ｊ）＝Ｌｐ＊（（ｉ−Ｏｈ）２＋（ｊ−Ｏｖ）２）１／２      ・・・（４）
【０１０３】
ここで、Ｌｐは、画素のサイズ（画素が正方形である場合の一辺の長さ）であり、（Ｏｈ、Ｏｖ）は、画素番号で表したエリアイメージセンサ２１３の中心（対角線の交点）である。例えば、エリアイメージセンサ２１３が横方向に３２個の画素を持ち、縦方向に１８個の画素を持ち、１つの画素サイズが７８０μｍ＊７８０μｍである場合、Ｏｈ＝１６．５、Ｏｖ＝９．５となり、画素位置２９、４の像高ｒ（２９、４）は、式（４）より、約１０．７ｍｍとなる（ｒ（２９、４）＝７８０＊（（２９−１６．５）２＋（４−９．５）２）１／２）。
【０１０４】
前記変換行列Ｃ（ｉ、ｊ）は、このような手順によって、変倍光学系２１１における焦点距離に依存した前記所定の光学特性（本実施形態では分光透過率Ｔｏ（β、ｒ、λ））に基づいた値として、求められる。
【０１０５】
そして、２次元測色演算部２２２は、上記式（１）を用いて求めた三刺激値Ｘ（ｉ、ｊ）、Ｙ（ｉ、ｊ）、Ｚ（ｉ、ｊ）から、次式（５−１）〜式（５−３）を用いることによって、国際照明委員会（ＣＩＥ）で規定された輝度Ｙおよび色度ｘｙを求める。
色度ｘ（ｉ、ｊ）＝Ｘ（ｉ，ｊ）／（Ｘ（ｉ、ｊ）＋Ｙ（ｉ、ｊ）＋Ｚ（ｉ、ｊ））・・・（５−１）
色度ｙ（ｉ、ｊ）＝Ｙ（ｉ，ｊ）／（Ｘ（ｉ、ｊ）＋Ｙ（ｉ、ｊ）＋Ｚ（ｉ、ｊ））・・・（５−２）
輝度Ｙ（ｉ、ｊ）＝Ｙ（ｉ、ｊ）・・・（５−３）
【０１０６】
このように輝度Ｙおよび色度ｘｙを求めると、２次元測色計ＭＤは、この求めた輝度Ｙ、色度ｘｙの測色結果に２次元測色計ＭＤの位置（ＭＤｘ、ＭＤｙ、ＭＤｚ）を対応付けてこれらをＭＤＩＦ部２３から表示装置ＤＰへ出力する。
【０１０７】
ここで、上述では、輝度Ｙ（ｉ、ｊ）、色度ｘ（ｉ、ｊ）、ｘ（ｉ、ｊ）は、２次元測色計ＭＤの画素位置ｉ、ｊで表されている。一方、表示装置ＤＰでは、表示装置ＤＰの画素位置ｋ、ｍで表された輝度Ｙ（ｋ、ｍ）、色度ｘ（ｋ、ｍ）、ｘ（ｋ、ｍ）が必要である。このため、２次元測色計ＭＤは、上述のように求めた輝度Ｙ（ｉ、ｊ）および色度ｘ（ｉ、ｊ）、ｘ（ｉ、ｊ）を表示装置ＤＰへ出力する前に、２次元測色計ＭＤでの画素位置ｉ、ｊを表示装置ＤＰでの画素位置ｋ、ｍへ変換する必要がある。この変換は、表示装置ＤＰの表示部１２における表示面が、２次元測色計ＭＤのエリアイメージセンサ２１３においてどの領域で受光されるかが分かれば実行できる。より具体的には、この変換は、例えば、次のように行われる。
【０１０８】
まず、表示装置ＤＰの表示部１２における表示面全面に所定の色が表示される。次に、２次元測色計ＭＤは、表示装置ＤＰの表示部１２を２次元測定部２１によって測定して２次元光量分布を生成し、この２次元光量分布から前記所定の色を判別するための判別閾値を用いることで、エリアイメージセンサ２１３における表示部１２の領域を特定する。この特定したエリアイメージセンサ２１３における表示部１２の領域の４頂点それぞれに対応するエリアイメージセンサ２１３の各画素位置ｉ、ｊは、それぞれ、表示部１２の４頂点の各画素位置ｋ、ｍに対応するので、この対応関係から、２次元測色計ＭＤは、ＭＤ制御処理部２２によって、２次元測色計ＭＤでの画素位置ｉ、ｊを表示装置ＤＰでの画素位置ｋ、ｍへ変換する。例えば、白色の色度輝度補正用画像が表示装置ＤＰによる前記所定の色の表示として利用される。その２次元光量分布が２次元測色計ＭＤによって生成され、その結果の一例が、図１８に示されている。ここで、前記判別閾値を輝度１００ｃｄ／ｍ２とすると、図１８に示す領域ＡＲが表示部１２の領域として特定される。この領域ＡＲの４頂点それぞれに対応するエリアイメージセンサ２１３の各画素位置ｉ、ｊは、（３、３）、（２９、３）、（３、１５）および（２９、１５）である。表示部１２が横方向に１９２０個の画素を持ち、縦方向に１０８０の画素を持つ場合、領域ＡＲの４頂点の各画素（３、３）、（２９、３）、（３、１５）および（２９、１５）は、それぞれ、表示装置ＤＰの画素位置ｋ、ｍで、表示部１２の４頂点の各画素（１、１）、（１９２０、１）、（１、１０８０）および（１９２０、１０８）に対応する。表示部１２の４頂点（１、１）、（１９２０、１）、（１、１０８０）および（１９２０、１０８）の各画素の間に在る各画素は、線形補間法によって２次元測色計ＭＤにおける画素と対応付けることができる。この結果、表示装置ＤＰにおける各画素位置ｋ、ｍの各画素は、２次元測色計ＭＤにおける画素と対応付けられ、表示装置ＤＰの画素位置ｋ、ｍで表された輝度Ｙ（ｋ、ｍ）、色度ｘ（ｋ、ｍ）、ｘ（ｋ、ｍ）が求められる。
【０１０９】
なお、上述では、２次元測色計ＭＤが座標変換を行い、２次元測色計ＭＤは、表示装置ＤＰの画素位置ｋ、ｍで表された輝度Ｙ（ｋ、ｍ）、色度ｘ（ｋ、ｍ）、ｘ（ｋ、ｍ）を表示装置ＤＰへ出力したが、２次元測色計ＭＤは、前記座標変換に必要な前記４頂点の対応関係の情報、および、２次元測色計ＭＤの画素位置ｉ、ｊで表された輝度Ｙ（ｉ、ｊ）、色度ｘ（ｉ、ｊ）、ｘ（ｉ、ｊ）を表示装置ＤＰへ出力し、表示装置ＤＰが前記座標変換を行っても良い。
【０１１０】
そして、表示装置ＤＰは、ＤＰ制御処理部１４の測色情報記憶処理部１４５によって、２次元測色計ＭＤからＤＰＩＦ部１７で取得した２次元測色計ＭＤの位置付き前記測色結果を前記測色情報として測色情報記憶部１５１に記憶する。なお、２次元測色計ＭＤと表示装置ＤＰとは、無線で接続されて良く、また、ケーブルＣを介して互いに接続されて良い。
【０１１１】
そして、このような第１測色位置ＰＭ１で実施された上述の各処理が第２から第５測色位置ＰＭ２〜ＰＭ５それぞれで順次に実施され、第１から第５測色位置ＰＭ１〜ＰＭ５に関する測色情報が測色情報記憶部１５１に記憶される。
【０１１２】
また、測色処理における時間の短縮化やその労力の低減化を図るために、例えば、図８に示すように、５個の第１から第５測色位置ＰＭ１〜ＰＭ５それぞれに５個の２次元測色計ＭＤ−１〜ＭＤ−５が同時に、配置され、上述の各処理が実施されて良い。なお、この場合では、２次元測色計ＭＤは、自機を特定し他の２次元測色装置ＭＤから識別するための識別子である測色計識別子（測色計ＩＤ）をＭＤ記憶部２４に予め記憶し、表示装置ＤＰのＤＰ記憶部１５には、２次元測色計ＭＤのおおよその位置と測色計ＩＤとを対応付けて予め記憶しておく。例えば、表示装置ＤＰにおける位置の検出範囲が複数の領域に分割され、測色計ＩＤは、その該当する領域に割り付けて予め記憶される。そして、表示装置ＤＰは、２次元測色計ＭＤの位置を検出し、この検出した位置に対応する測色計ＩＤを選択し、前記検出した２次元測色計ＭＤの位置と前記選択した測色計ＩＤを表示し、２次元測色計ＭＤは、表示部１２の表示面に表示された２次元測色計ＭＤの前記位置をその測色位置として取得する際に、自機の測色計ＩＤに対応する２次元測色計ＭＤの前記位置を取得する。
【０１１３】
表示装置ＤＰは、このような測色処理が実施された後に、出荷される。
【０１１４】
（表示装置ＤＰにおける表示状態（表示出力）の調整）
次に、表示装置ＤＰの表示状態の調整に関する動作について説明する。本実施形態における表示システムＤＳおよび表示装置ＤＰは、例えば静止画や動画等のコンテンツを表示部１２に表示する際に、表示状態の調整に関し、前記静止画を表示する場合にはその際に、また、前記動画を表示する場合には各フレームごとに、あるいは、数フレームごとに、次のように動作する。なお、ステレオカメラ１１および位置処理部１４３は、開始以降、常時、動作してモニタしている。
【０１１５】
図１９において、まず、ＤＰ制御処理部１４は、ステレオカメラ１１によって一対の画像を生成し、位置処理部１４３によってユーザの所在位置（Ｕｘ、Ｕｄ、Ｕｚ）を求めて検出する（Ｓ２１）。
【０１１６】
次に、ＤＰ制御処理部１４は、表示調整部１４４によって、測色情報記憶部１５１に記憶された測色情報から、前記ユーザの所在位置（Ｕｘ、Ｕｙ、Ｕｚ）に応じた測色結果を選定し、取り出す。なお、表示調整部１４４は、上述した補間の処理を実行してもよい。
【０１１７】
例えば、前記ユーザの所在位置（Ｕｘ、Ｕｙ、Ｕｚ）が座標（−７００、０、１０００）である場合、表示調整部１４４は、測色情報記憶部１５１に記憶された測色情報から、Ｕｘ＝ＭＤｘ＝−７００、Ｕｙ＝ＭＤｙ＝０、Ｕｚ＝ＭＤｚ＝１０００の座標位置に配置された２次元測色計ＭＤで測色された図１０に示す測色結果を選定し、取り出す。また例えば、前記ユーザの所在位置（Ｕｘ、Ｕｙ、Ｕｚ）が座標（−３５０、０，１０００）である場合、表示調整部１４４は、測色情報記憶部１５１に記憶された測色情報から、Ｕｘ＝ＭＤｘ＝−３５０、Ｕｙ＝ＭＤｙ＝０、Ｕｚ＝ＭＤｚ＝１０００の座標位置に近い位置に配置された２次元測色計ＭＤで測色された図９および図１０に示す各測色結果を選定し、これら図９および図１０に示す各測色結果に基づいて、補間によって、前記座標（−３５０、０，１０００）に対応する測色結果を生成する。
【０１１８】
次に、ＤＰ制御処理部１４は、表示調整部１４４によって、表示部１２における各画素ごとに、この取り出した測色結果と前記目標の見え方との差を補償するように前記表示面上の位置に応じた調整値をそれぞれ生成する（Ｓ２３）。
【０１１９】
そして、ＤＰ制御処理部１４は、処理Ｓ２３で求めた各調整値を用いて表示を行い（Ｓ２４）、処理を終了する。例えば、前記静止画の表示では、ＤＰ制御処理部１４は、処理Ｓ２３で求めた各調整値を用いて前記静止画の各画素値をそれぞれ調整して前記静止画を表示部１２に表する。また例えば、前記動画の表示では、ＤＰ制御処理部１４は、処理Ｓ３で求めた各調整値を用いて前記動画におけるフレームの各画素値を調整して前記動画のフレームを表示部１２に表示する。
【０１２０】
一例として、前記ユーザの所在位置（Ｕｘ、Ｕｙ、Ｕｚ）が座標（−７００、０、１０００）である場合、座標（−１５、０）の領域における測定結果（輝度Ｙ＝１００ｃｄ／ｍ２、色度ｘ＝０．３１２７、色度ｙ＝０．３２９０）が前記目標の見え方となり、表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、各領域における各画素の表示状態が調整される。例えば、座標（１４、０）の領域では、その測定結果（輝度Ｙ＝５０ｃｄ／ｍ２、色度ｘ＝０．３３６、色度ｙ＝０．３５５）と目標の見え方（輝度Ｙ＝１００ｃｄ／ｍ２、色度ｘ＝０．３１２７、色度ｙ＝０．３２９０）との差が求められ、この差を調整値として、座標（１４、０）の領域における各画素の表示状態が調整される（例えば、各画素の輝度Ｙは、その差５０ｃｄ／ｍ２を補償するようにアップされる。すなわち、各画素の輝度Ｙは、２倍される）。
【０１２１】
以上説明したように、本実施形態における２次元測色計ＭＤ、これに実装された２次元測色方法およびこれを用いた表示システムＤＳは、変倍光学系２１１を備えるので、測定対象の大きさ（サイズ）、および、測定対象と２次元測色計ＭＤとの間の距離に応じて変倍光学系２１１の焦点距離、言い換えれば倍率を変更することで、測定対象全体の像を写し、かつ、測定対象を除く他の物体（例えば背景）の像をできるだけ除いたデータを生成することが可能となる。そして、上記２次元測色計ＭＤ、２次元測色方法および表示システムＤＳは、変倍光学系２１１における焦点距離に依存した所定の光学特性に起因して生じる測定誤差を補正するための補正情報を前記焦点距離に対応付けて補正情報記憶部２４１に予め記憶し、測定した複数の色成分それぞれに対応した複数の２次元光量分布、および、その際の変倍光学系２１１の焦点距離に応じた補正情報に基づいて、測定対象の２次元色分布を求めるので、変倍光学系２１１の焦点距離（言い換えれば倍率）に伴う測定誤差をより低減できる。したがって、上記２次元測色計ＭＤ、２次元測色方法および表示システムＤＳは、変倍光学系２１１を備え、より測定誤差を低減できる。
【０１２２】
また、本実施形態では、前記光学特性が分光透過率Ｔｏであるので、上記２次元測色計ＭＤ、２次元測色方法および表示システムＤＳは、変倍光学系２１１の焦点距離の変化に従って変化する分光透過率に伴う測定誤差を低減できる。
【０１２３】
また、上記表示システムＤＳは、２次元測色計ＭＤがＭＤＩＦ部２３を備え、表示装置ＤＰがＤＰＩＦ部１７および測色情報記憶処理部１４５を備えるので、２次元測色計ＭＤが測定した測色結果を自動的に前記測色情報として表示装置ＤＰの測色情報記憶部１４５に記憶できる。
【０１２４】
ユーザは、表示装置ＤＰの表示部１２における表示面の各位置を、前記各位置に応じた各角度で見込むため、前記各位置に応じた各見え方で見えることになる。上記表示システムＤＳでは、表示装置ＤＰは、前記表示面上の位置に応じた調整値で、表示部１２の表示状態を調整するので、前記各位置に応じた各見え方を個々に調整できる。
【０１２５】
なお、上述の実施形態では、補正情報記憶部２４１は、補正情報として光学特性情報テーブルＴＴを記憶しているが、上述したように、２次元測色計ＭＤは、２次元測定部２１で測定した複数の２次元光量分布を測定対象の２次元色分布へ変換する変換行列Ｃ（ｉ、ｊ）を用いることによって、２次元測定部２１で測定した前記複数の２次元光量分布から前記測定対象の２次元色分布を求めているので、補正情報記憶部２４１は、前記光学特性情報テーブルＴＴに代え、前記補正情報として上述の変換行列Ｃ（ｉ、ｊ）（＝Ｃ（ｒ））を変倍光学系２１１の焦点距離（本実施形態では倍率β）および画素位置（ｉ、ｊ）（または像高ｒ）に対応付けて記憶してもよい。例えば、補正情報記憶部２４１には、倍率β＝１．０の場合に対応した第１変換行列（β＝１．０）、倍率β＝１．２の場合に対応した第２変換行列（β＝１．２）、倍率β＝１．５の場合に対応した第３変換行列（β＝１．５）、倍率β＝２．０の場合に対応した第４変換行列（β＝２．０）、倍率β＝２．５の場合に対応した第５変換行列（β＝２．５）、および、倍率β＝３．０の場合に対応した第６変換行列（β＝３．０）それぞれが、全ての画素位置（ｉ、ｊ）に対応付けて、または、所定の間隔ごとの画素位置（ｉ、ｊ）に対応付けて記憶される。このような２次元測色計ＭＤ、２次元測色方法および表示システムＤＳは、変倍光学系２１１の焦点距離に伴う測定誤差の影響を考慮した変換行列Ｃを求めておくことで、２次元測定部２１で測定した複数の２次元光量分布から、変倍光学系２１１の焦点距離に伴う測定誤差をより低減した、測定対象の２次元色分布を容易に求めることができる。
【０１２６】
また、上述の実施形態では、三刺激値ＸＹＺから輝度Ｙおよび色度ｘｙが求められたが、他の表色系での値が求められても良い。例えば、三刺激値ＸＹＺから次式（６−１）、式（６−２）によってＬｕ’ｖ’表色系のｕ’ｖ’が求められても良い。
ｕ’（ｉ、ｊ）＝４＊Ｘ（ｉ、ｊ）／（Ｘ（ｉ、ｊ）＋１５＊Ｙ（ｉ、ｊ）＋３＊Ｚ（ｉ、ｊ））    ・・・（６−１）
ｖ’（ｉ、ｊ）＝９＊Ｙ（ｉ、ｊ）／（Ｘ（ｉ、ｊ）＋１５＊Ｙ（ｉ、ｊ）＋３＊Ｚ（ｉ、ｊ））    ・・・（６−１）
【０１２７】
また、上述の実施形態では、表示部１２の表示面に対するユーザの所在位置（Ｕｘ、Ｕｙ、Ｕｚ）を検出する位置検出部は、ステレオカメラ１１と位置処理部１４３とを備えて構成されたが、これに限定されるものではない。例えば、前記位置検出部は、所定の間隔を空けて２次元アレイ状に配列された複数の焦電素子、距離計および情報処理回路等を備えて構成され、前記情報処理回路は、複数の焦電素子における各出力からユーザの所在する方向（Ｕｘ、Ｕｙ）を検出し、この検出した方向（Ｕｘ、Ｕｙ）へ前記距離計によってユーザまでの距離（Ｕｚ）を測定することで、ユーザの所在位置（Ｕｘ、Ｕｙ、Ｕｚ）を検出しても良い。前記距離計は、例えば、超音波やレーザ光のパルスを送受信し、そのＴＯＦ（Ｔｉｍｅ  Ｏｆ  Ｆｒｉｇｈｔ）から測定対象（ユーザ）までの距離を求めるＴＯＦ方式距離計等である。また例えば、前記位置検出部は、ＬＩＤＡＲ（Ｌａｓｅｒ  Ｉｍａｇｉｎｇ  Ｄｅｔｅｃｔｉｏｎ  ａｎｄ  Ｒａｎｇｉｎｇ）技術を用いることによって、被写体までの距離を表す情報で表現された複数の画素で構成される距離画像（Ｕｘ、Ｕｙ、Ｕｚ）を生成する距離画像センサおよび情報処理回路等を備えて構成され、前記情報処理回路は、距離画像から、例えば予め用意された人物モデルのパターンマッチングによって、あるいは、人物検出用に学習したニューラルネットワークによって、人物領域を検出し、この検出した人物領域内における所定点の位置を前記ユーザの所在位置（Ｕｘ、Ｕｙ、Ｕｚ）として検出しても良い。
【０１２８】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１２９】
ＤＳ  表示システム
ＭＤ  ２次元測色計
ＤＰ  表示装置
１１  ステレオカメラ
１２  表示部
１４  表示側制御処理部（ＤＰ制御処理部）
１５  表示側記憶部（ＤＰ記憶部）
１６  アンテナ
１７  表示側インターフェース部（ＤＰＩＦ部）
２１  ２次元測定部
２２  測色側制御処理部（ＭＤ制御処理部）
２３  測色側インターフェース部（ＭＤＩＦ部）
２４  測色側記憶部（ＭＤ記憶部）
１４２  映像信号生成部
１４３  位置処理部
１４４  表示調整部
１４５  測色情報記憶処理部
１４６  位置表示処理部
１５１  測色情報記憶部
２１１  変倍光学系
２１３  エリアイメージセンサ
２１４  焦点距離取得部
２２２  ２次元測色演算部
２２３  測色位置取得出力処理部
【図１】
0006617537.tif 000008
【図２】
0006617537.tif 000009
【図３】
0006617537.tif 000010
【図４】
0006617537.tif 000011
【図５】
0006617537.tif 000012
【図６】
0006617537.tif 000013
【図７】
0006617537.tif 000014
【図８】
0006617537.tif 000015
【図９】
0006617537.tif 000016
【図１０】
0006617537.tif 000017
【図１１】
0006617537.tif 000018
【図１２】
0006617537.tif 000019
【図１３】
0006617537.tif 000020
【図１４】
0006617537.tif 000021
【図１５】
0006617537.tif 000022
【図１６】
0006617537.tif 000023
【図１７】
0006617537.tif 000024
【図１８】
0006617537.tif 000025
【図１９】
0006617537.tif 000026